(57)【特許請求の範囲】
【請求項１】
通信方法であって、
基地局により、少なくとも２つのナロービームが少なくとも２つの端末にデータを伝送するために使用されることを判定するステップであって、前記基地局がブロードビーム及び少なくとも２つのナロービームを伝送する、ステップと、
前記基地局により、前記少なくとも２つのナロービームを使用することによって、同じ時間−周波数リソースで前記少なくとも２つの端末にデータを伝送するステップとを含み、
前記ブロードビームが前記基地局のセクタをカバーし、前記ナロービームのカバレージエリアが前記ブロードビームのカバレージエリアに含まれるとともに、前記ブロードビーム及び前記ナロービームが同じ物理セル識別子（ＰＣＩ）を有し、
当該方法が、
前記基地局により、前記ブロードビームが前記少なくとも２つの端末と異なる１つ又は複数の他の端末にデータを伝送するために使用される必要があることを判定するステップと、
前記基地局により、前記ブロードビームを使用することによって、前記１つ又は複数の他の端末にデータを伝送するステップと、
前記基地局により、前記ブロードビームを使用することによってセル固有参照信号ＣＲＳを送信するステップと、
前記基地局により、チャネル状態情報参照信号ＣＳＩ−ＲＳを、前記基地局により伝送される各ナロービームを使用することによって、前記基地局により伝送される各ナロービームに別々に事前設定された前記ＣＳＩ−ＲＳに従って別々に送信するステップであって、異なるナロービームに設定されるＣＳＩ−ＲＳが相互に異なる、ステップとを更に含む、方法。
【請求項２】
前記基地局により、前記少なくとも２つのナロービームを使用することによって、同じ時間−周波数リソースで前記少なくとも２つの端末にデータを伝送する前記ステップが、
前記基地局により、前記少なくとも２つのナロービームを使用することによって、第１の時間−周波数リソースで前記少なくとも２つの端末にデータを伝送するステップを含む、請求項１に記載の方法。
【請求項３】
前記基地局により、前記ブロードビームを使用することによって、前記１つ又は複数の他の端末にデータを伝送する前記ステップが、
前記基地局により、前記ブロードビームを使用することによって、前記第１の時間−周波数リソースと異なる第２の時間−周波数リソースで前記１つ又は複数の他の端末にデータを伝送するステップを含む、請求項２に記載の方法。
【請求項４】
前記基地局により、前記ブロードビームが前記１つ又は複数の他の端末にデータを伝送するために使用されることを判定する前記ステップが、
前記基地局により、前記ブロードビームを伝送するために使用されるアンテナ及び前記ナロービームを伝送するために使用されるアンテナを使用することによって、前記１つ又は複数の他の端末のうちの各端末により送信された第１のサウンディング参照信号（ＳＲＳ）を別々に受信するステップと、
前記１つ又は複数の他の端末のうちの各端末により送信されるとともに、前記ブロードビームを伝送するために使用される前記アンテナ及び前記ナロービームを伝送するために使用される前記アンテナを使用することによって別々に受信された前記第１のＳＲＳの信号強度値に従って、前記ブロードビームを伝送するために使用される前記アンテナから来て前記１つ又は複数の他の端末のうちの各端末に向かうチャネルのチャネル品質、及び前記ナロービームを伝送するために使用される前記アンテナから来て前記１つ又は複数の他の端末のうちの各端末に向かうチャネルのチャネル品質を判定するステップと、
比較によって、前記ブロードビームを伝送するために使用される前記アンテナから来て前記１つ又は複数の他の端末のうちの各端末に向かう前記チャネルの前記チャネル品質が、前記ナロービームを伝送するために使用される前記アンテナから来て前記１つ又は複数の他の端末のうちの各端末に向かう前記チャネルの前記チャネル品質より良いことが得られる場合に、前記ブロードビームが前記１つ又は複数の他の端末のうちの各端末にデータを伝送するために使用されることを判定するステップとを含む、請求項１から請求項３のいずれか一項に記載の方法。
【請求項５】
基地局により、少なくとも２つのナロービームが少なくとも２つの端末にデータを伝送するために使用されることを判定する前記ステップが、
前記基地局により、前記ブロードビームを伝送するために使用される前記アンテナ及び前記ナロービームを伝送するために使用される前記アンテナを使用することによって、前記少なくとも２つの端末のうちの各端末により送信された第２のＳＲＳを別々に受信するステップと、
前記少なくとも２つの端末のうちの各端末により送信されるとともに、前記ブロードビームを伝送するために使用される前記アンテナ及び前記ナロービームを伝送するために使用される前記アンテナを使用することによって別々に受信された前記第２のＳＲＳの信号強度値に従って、前記ブロードビームを伝送するために使用される前記アンテナから来て前記少なくとも２つの端末のうちの各端末に向かうチャネルのチャネル品質、及び前記ナロービームを伝送するために使用される前記アンテナから来て前記少なくとも２つの端末のうちの各端末に向かうチャネルのチャネル品質を判定するステップと、
比較によって、前記ナロービームを伝送するために使用される前記アンテナから来て前記少なくとも２つの端末のうちの各端末に向かう前記チャネルの前記チャネル品質が、前記ブロードビームを伝送するために使用される前記アンテナから来て前記少なくとも２つの端末のうちの各端末に向かう前記チャネルの前記チャネル品質より良いことが得られる場合に、前記ナロービームが前記少なくとも２つの端末のうちの各端末にデータを伝送するために使用されることを判定するステップとを含む、請求項４に記載の方法。
【請求項６】
前記基地局により、前記少なくとも２つのナロービームを使用することによって、同じ時間−周波数リソースで前記少なくとも２つの端末にデータを伝送する前記ステップが、
前記基地局により、前記少なくとも２つのナロービームを使用することによって、そして異なるナロービームを使用することにより異なる端末にデータを別々に伝送する方法で、前記同じ時間−周波数リソースで前記少なくとも２つの端末に前記データを伝送するステップか、又は、
前記基地局により、前記少なくとも２つのナロービームを使用することによって、そして少なくとも２つのナロービームを使用することにより同じ端末にデータを伝送する方法で、前記同じ時間−周波数リソースで前記少なくとも２つの端末に前記データを伝送するステップを含む、請求項１から請求項５のいずれか一項に記載の方法。
【請求項７】
ブロードビーム及び少なくとも２つのナロービームを伝送する通信装置であって、当該装置が、
少なくとも２つのナロービームが少なくとも２つの端末にデータを伝送するために使用されることを判定するように構成されるナロービーム判定モジュールと、
前記少なくとも２つのナロービームを使用することによって、同じ時間−周波数リソースで前記少なくとも２つの端末にデータを伝送するように構成されるデータ伝送モジュールとを備え、
前記ブロードビームが当該通信装置のセクタをカバーし、前記ナロービームのカバレージエリアが前記ブロードビームのカバレージエリアに含まれるとともに、前記ブロードビーム及び前記ナロービームが同じ物理セル識別子（ＰＣＩ）を有し、
当該装置が、
前記ブロードビームが前記少なくとも２つの端末と異なる１つ又は複数の他の端末にデータを伝送するために使用される必要があることを判定するように構成されるブロードビーム判定モジュールを更に備え、
前記データ伝送モジュールが、前記ブロードビームを使用することによって、前記１つ又は複数の他の端末にデータを伝送するように更に構成され、
当該装置が、
前記ブロードビームを使用することによってセル固有参照信号ＣＲＳを送信するとともに、チャネル状態情報参照信号ＣＳＩ−ＲＳを、各ナロービームを使用することによって、各伝送されるナロービームに別々に事前設定された前記ＣＳＩ−ＲＳに従って別々に送信し、異なるナロービームに設定されるＣＳＩ−ＲＳが相互に異なる、ように構成される参照信号送信モジュールを更に備える、装置。
【請求項８】
前記データ伝送モジュールが、前記少なくとも２つのナロービームを使用することによって、第１の時間−周波数リソースで前記少なくとも２つの端末にデータを伝送するように構成される、請求項７に記載の装置。
【請求項９】
前記データ伝送モジュールが、前記ブロードビームを使用することによって、前記第１の時間−周波数リソースと異なる第２の時間−周波数リソースで前記１つ又は複数の他の端末にデータを伝送するように構成される、請求項８に記載の装置。
【請求項１０】
前記ブロードビーム判定モジュールが、
前記ブロードビームを伝送するために使用されるアンテナ及び前記ナロービームを伝送するために使用されるアンテナを使用することによって、前記１つ又は複数の他の端末のうちの各端末により送信された第１のサウンディング参照信号（ＳＲＳ）を別々に受信するように構成される信号受信サブモジュールと、
前記１つ又は複数の他の端末のうちの各端末により送信されるとともに、前記ブロードビームを伝送するために使用される前記アンテナ及び前記ナロービームを伝送するために使用される前記アンテナを使用することによって別々に受信された前記第１のＳＲＳの信号強度値に従って、前記ブロードビームを伝送するために使用される前記アンテナから来て前記１つ又は複数の他の端末のうちの各端末に向かうチャネルのチャネル品質、及び前記ナロービームを伝送するために使用される前記アンテナから来て前記１つ又は複数の他の端末のうちの各端末に向かうチャネルのチャネル品質を判定するように構成されるチャネル品質判定サブモジュールと、
比較によって、前記ブロードビームを伝送するために使用される前記アンテナから来て前記１つ又は複数の他の端末のうちの各端末に向かう前記チャネルの前記チャネル品質が、前記ナロービームを伝送するために使用される前記アンテナから来て前記１つ又は複数の他の端末のうちの各端末に向かう前記チャネルの前記チャネル品質より良いことが得られる場合に、前記ブロードビームが前記１つ又は複数の他の端末のうちの各端末にデータを伝送するために使用されることを判定するように構成されるブロードビーム判定サブモジュールとを備える、請求項７から請求項９のいずれか一項に記載の装置。
【請求項１１】
前記チャネル品質判定サブモジュールが、
前記信号強度値のためのものであるとともに、前記ブロードビームを伝送するために使用される前記アンテナ及び前記ナロービームを伝送するために使用される前記アンテナに対して別々に事前設定された補正値に従って、前記１つ又は複数の他の端末のうちの各端末により送信されるとともに、前記ブロードビームを伝送するために使用される前記アンテナ及び前記ナロービームを伝送するために使用される前記アンテナを使用することによって別々に受信された前記第１のＳＲＳの前記信号強度値を、前記第１のＳＲＳの各補正された信号強度値を獲得するように補正し、
前記第１のＳＲＳの各補正された信号強度値に従って、前記ブロードビームを伝送するために使用される前記アンテナから来て前記１つ又は複数の他の端末のうちの各端末に向かう前記チャネルの前記チャネル品質、及び前記ナロービームを伝送するために使用される前記アンテナから来て前記１つ又は複数の他の端末のうちの各端末に向かう前記チャネルの前記チャネル品質を判定するように構成される、請求項１０に記載の装置。
【請求項１２】
前記ナロービーム判定モジュールが、
前記ブロードビームを伝送するために使用される前記アンテナ及び前記ナロービームを伝送するために使用される前記アンテナを使用することによって、前記少なくとも２つの端末のうちの各端末により送信された第２のＳＲＳを別々に受信するように構成される信号受信サブモジュールと、
前記少なくとも２つの端末のうちの各端末により送信されるとともに、前記ブロードビームを伝送するために使用される前記アンテナ及び前記ナロービームを伝送するために使用される前記アンテナを使用することによって別々に受信された前記第２のＳＲＳの信号強度値に従って、前記ブロードビームを伝送するために使用される前記アンテナから来て前記少なくとも２つの端末のうちの各端末に向かうチャネルのチャネル品質、及び前記ナロービームを伝送するために使用される前記アンテナから来て前記少なくとも２つの端末のうちの各端末に向かうチャネルのチャネル品質を判定するように構成されるチャネル品質判定サブモジュールと、
比較によって、前記ナロービームを伝送するために使用される前記アンテナから来て前記少なくとも２つの端末のうちの各端末に向かう前記チャネルの前記チャネル品質が、前記ブロードビームを伝送するために使用される前記アンテナから来て前記少なくとも２つの端末のうちの各端末に向かう前記チャネルの前記チャネル品質より良いことが得られる場合に、前記ナロービームが前記少なくとも２つの端末のうちの各端末にデータを伝送するために使用されることを判定するように構成されるナロービーム判定サブモジュールとを備える、請求項１０又は請求項１１に記載の装置。
【請求項１３】
前記チャネル品質判定サブモジュールが、
前記信号強度値のためのものであるとともに、前記ブロードビームを伝送するために使用される前記アンテナ及び前記ナロービームを伝送するために使用される前記アンテナに対して別々に事前設定された補正値に従って、前記少なくとも２つの端末のうちの各端末により送信されるとともに、前記ブロードビームを伝送するために使用される前記アンテナ及び前記ナロービームを伝送するために使用される前記アンテナを使用することによって別々に受信された前記第２のＳＲＳの前記信号強度値を、前記第２のＳＲＳの各補正された信号強度値を獲得するように補正し、
前記第２のＳＲＳの各補正された信号強度値に従って、前記ブロードビームを伝送するために使用される前記アンテナから来て前記少なくとも２つの端末のうちの各端末に向かう前記チャネルの前記チャネル品質、及び前記ナロービームを伝送するために使用される前記アンテナから来て前記少なくとも２つの端末のうちの各端末に向かう前記チャネルの前記チャネル品質を判定するように構成される、請求項１２に記載の装置。
【請求項１４】
前記データ伝送モジュールが、
前記少なくとも２つの端末のうちの各端末に対して、下記の、前記端末にデータを伝送するために使用されるナロービームに設定されたＣＳＩ−ＲＳのリソース構成インデックスを前記端末に通知する動作と、前記ＣＳＩ−ＲＳを測定することによって前記端末によりフィードバックされた対応するチャネル状態報告を獲得する動作とを別々に実行し、
前記少なくとも２つの端末により当該装置に別々にフィードバックされたチャネル状態報告に従って前記第１の時間−周波数リソースを判定し、
前記少なくとも２つのナロービームを使用することによって、前記第１の時間−周波数リソースで前記少なくとも２つの端末にデータを伝送するように具体的に構成される、請求項８に記載の装置。
【請求項１５】
前記データ伝送モジュールが、
前記１つ又は複数の他の端末により受信された前記ＣＲＳを測定することによって前記１つ又は複数の他の端末によりフィードバックされたチャネル状態報告を獲得し、
前記チャネル状態報告に従って前記第２の時間−周波数リソースを判定し、
前記の判定されたブロードビームを使用することによって、前記第２の時間−周波数リソースで前記１つ又は複数の他の端末にデータを伝送するように具体的に構成される、請求項９に記載の装置。
【請求項１６】
前記データ伝送モジュールが、
前記少なくとも２つのナロービームを使用することによって、そして異なるナロービームを使用することにより異なる端末にデータを別々に伝送する方法で、前記同じ時間−周波数リソースで前記少なくとも２つの端末に前記データを伝送するか、又は、
前記少なくとも２つのナロービームを使用することによって、そして少なくとも２つのナロービームを使用することにより同じ端末にデータを伝送する方法で、前記同じ時間−周波数リソースで前記少なくとも２つの端末に前記データを伝送するように更に構成される、請求項７から請求項１５のいずれか一項に記載の装置。
【請求項１７】
プログラムを記録したコンピュータ読取り可能な記憶媒体であって、
前記プログラムが、コンピュータに請求項１から請求項６のいずれか一項に記載の方法を実行させる、コンピュータ読取り可能な記憶媒体。
【発明の詳細な説明】
【技術分野】
【０００１】
本発明は、通信技術の分野に関し、特に、通信方法及び装置に関する。
【背景技術】
【０００２】
モバイルインターネットの急速な開発とともに、サービスボリュームの爆発的な成長が、移動体通信ネットワークに対して新しい要求を継続的に課しており、それにより、直交周波数分割多重方式（Orthogonal  Frequency  Division  Multipelexing、ＯＦＤＭ）技術、マルチアンテナ多入力多出力（Multiple  Input  Multiple  Output、ＭＩＭＯ）技術、中継技術、キャリアアグリゲーション（Carrier  Aggregation、ＣＡ）技術、及び多地点協調（Coordinated  Multi-Point、ＣｏＭＰ）送信技術のような様々な新しい技術が果てしなく発生している。これらの新しい技術の共通のポイントは、移動体通信ネットワークのスペクトルの効率及び容量の改善を継続的に追求することにある。
【０００３】
理論的な分析から、移動通信ネットワークのスペクトルの効率を改善することの中心は、信号対干渉電力と雑音比を改善することである。例えば、この目的は、干渉制御方法又は電力制御のような技術を使用することにより達成され得る。移動体通信ネットワークの容量を改善するために、比較的直観的な方法は、移動体通信ネットワークの利用可能なリソースを増やすことである。例えば、移動通信ネットワークの利用可能な帯域幅を増やすことによって、移動通信ネットワークの容量の直接的な改善が達成されることができる。技術の発展とともに、移動通信ネットワークのシステム帯域幅は、同様に、継続的に改善される。しかしながら、無線スペクトルリソースの不足が原因で、スペクトルリソースのひどい不足がますます無線通信産業の発展のボトルネックになった。
【０００４】
前述の状況に基づいて、スペクトルリソースのひどい不足の既存の状況では、限られたスペクトルリソースを十分に開発して使用し、そしてスペクトルの効率を改善する方法が、通信産業において現在研究される最新の話題のうちの１つになった。マルチアンテナ技術が帯域幅を増やす必要なく伝送効率を改善することができるので、マルチアンテナ技術は広く支持される。技術の原理は、単位物理領域当たりの送信アンテナの数量を増やすことにあり、その結果、帯域幅を増やす必要なくチャネル特性を十分に使用することにより、時間−周波数リソースの多重化の度合いが改善されることができ、それにより大いにスペクトルの効率を改善する。具体的には、マルチアンテナ技術が使用されたあとで、もし送信側のアンテナアレイと受信側との間に形成された空間のサブチャネルの十分な差異が保証されることができるならば、時間ドメイン及び周波数ドメインの他に追加の空間次元を提供するために、異なるデータフローが異なるサブチャネルで伝送されることが実施されることができ、その結果、複数のユーザが、同じ時間、周波数、又はコードドメインリソースを共有することができ、それにより、効果的にスペクトルの効率及び容量を改善する。従来技術において、異種ネットワーク（Heterogeneous  Network、ＨｅｔＮｅｔ）、分散アンテナシステム（Distributed  Antenna  System、ＤＡＳ）、仮想マルチセクタ、ＭＩＭＯ技術などは、全て前述の原理に基づく技術と考えられ得る。
【０００５】
現在、単位領域当たりのアンテナの数量を増やすことによってスペクトルの効率が改善される前述の様々な従来技術では、追加のサイトのバックホールリソースの必要性、セクタ間のカバレージ関係に対する影響、及び追加の標準化サポートの必要性のような問題が多少存在する。
【発明の概要】
【０００６】
本発明の実施例は、通信方法及び基地局を提供し、それによりスペクトルの効率は、追加のサイトのバックホールリソースが必要とされず、そしてセクタ間のカバレージ関係が同様に影響を受けない、という前提の下で改善されることができる。
【０００７】
本発明の実施例は、下記の技術的解決法を使用する。
【０００８】
第１の態様によれば、通信方法であって、基地局により、少なくとも２つのナロービームが少なくとも２つの端末にデータを伝送するために使用されることを判定するステップであって、前記基地局がブロードビーム及び少なくとも２つのナロービームを伝送する、ステップと、前記基地局により、前記の判定されたナロービームを使用することによって、同じ時間−周波数リソースで前記少なくとも２つの端末にデータを伝送するステップとを含み、前記ブロードビームが前記基地局のセクタをカバーし、前記ナロービームのカバレージエリアが前記ブロードビームのカバレージエリアに完全に含まれるとともに、前記ブロードビーム及び前記ナロービームが同じ物理セル識別子ＰＣＩを有する、通信方法が提供される。
【０００９】
第１の態様に関連して、第１の可能な実施方法において、当該方法は、前記基地局により、前記ブロードビームが前記少なくとも２つの端末と異なる１つ又は複数の他の端末にデータを伝送するために使用されることを判定するステップと、前記基地局により、前記ブロードビームを使用することによって、前記１つ又は複数の他の端末にデータを伝送するステップとを更に含む。
【００１０】
第１の態様の第１の可能な実施方法に関連して、第２の可能な実施方法において、前記基地局により、前記の判定されたナロービームを使用することによって、同じ時間−周波数リソースで前記少なくとも２つの端末にデータを伝送する前記ステップは、前記基地局により、前記の判定されたナロービームを使用することによって、第１の時間−周波数リソースで前記少なくとも２つの端末にデータを伝送するステップを含む。
【００１１】
第１の態様の第２の可能な実施方法に関連して、第３の可能な実施方法において、前記基地局により、前記ブロードビームを使用することによって、前記１つ又は複数の他の端末にデータを伝送する前記ステップは、前記基地局により、前記ブロードビームを使用することによって、前記第１の時間−周波数リソースと異なる第２の時間−周波数リソースで前記１つ又は複数の他の端末にデータを伝送するステップを含む。
【００１２】
第１の態様の第１の可能な実施方法から第３の可能な実施方法のうちのいずれか１つの実施方法に関連して、第４の可能な実施方法において、前記基地局により、前記ブロードビームが前記１つ又は複数の他の端末にデータを伝送するために使用されることを判定する前記ステップは、前記基地局により、前記ブロードビームを伝送するために使用されるアンテナ及び前記ナロービームを伝送するために使用されるアンテナを使用することによって、前記１つ又は複数の他の端末のうちの各端末により送信された第１のサウンディング参照信号ＳＲＳを別々に受信するステップと、前記１つ又は複数の他の端末のうちの各端末により送信されるとともに、前記ブロードビームを伝送するために使用される前記アンテナ及び前記ナロービームを伝送するために使用される前記アンテナを使用することによって別々に受信された前記第１のＳＲＳの信号強度値に従って、前記ブロードビームを伝送するために使用される前記アンテナから来て前記１つ又は複数の他の端末のうちの各端末に向かうチャネルのチャネル品質、及び前記ナロービームを伝送するために使用される前記アンテナから来て前記１つ又は複数の他の端末のうちの各端末に向かうチャネルのチャネル品質を判定するステップと、比較によって、前記ブロードビームを伝送するために使用される前記アンテナから来て前記１つ又は複数の他の端末のうちの各端末に向かう前記チャネルの前記チャネル品質が、前記ナロービームを伝送するために使用される前記アンテナから来て前記１つ又は複数の他の端末のうちの各端末に向かう前記チャネルの前記チャネル品質より良いことが得られる場合に、前記ブロードビームが前記１つ又は複数の他の端末のうちの各端末にデータを伝送するために使用されることを判定するステップとを含む。
【００１３】
第１の態様の第４の可能な実施方法に関連して、第５の可能な実施方法において、前記基地局により、前記１つ又は複数の他の端末のうちの各端末により送信されるとともに、前記ブロードビームを伝送するために使用される前記アンテナ及び前記ナロービームを伝送するために使用される前記アンテナを使用することによって別々に受信された前記第１のＳＲＳの信号強度値に従って、前記ブロードビームを伝送するために使用される前記アンテナから来て前記１つ又は複数の他の端末のうちの各端末に向かうチャネルのチャネル品質、及び前記ナロービームを伝送するために使用される前記アンテナから来て前記１つ又は複数の他の端末のうちの各端末に向かうチャネルのチャネル品質を判定する前記ステップは、前記基地局により、前記信号強度値のためのものであるとともに、前記ブロードビームを伝送するために使用される前記アンテナ及び前記ナロービームを伝送するために使用される前記アンテナに対して別々に事前設定された補正値に従って、前記１つ又は複数の他の端末のうちの各端末により送信されるとともに、前記ブロードビームを伝送するために使用される前記アンテナ及び前記ナロービームを伝送するために使用される前記アンテナを使用することによって別々に受信された前記第１のＳＲＳの前記信号強度値を、前記第１のＳＲＳの各補正された信号強度値を獲得するように補正するステップと、前記第１のＳＲＳの各補正された信号強度値に従って、前記ブロードビームを伝送するために使用される前記アンテナから来て前記１つ又は複数の他の端末のうちの各端末に向かう前記チャネルの前記チャネル品質、及び前記ナロービームを伝送するために使用される前記アンテナから来て前記１つ又は複数の他の端末のうちの各端末に向かう前記チャネルの前記チャネル品質を判定するステップとを含む。
【００１４】
第１の態様の第１の可能な実施方法から第５の可能な実施方法のうちのいずれか１つの実施方法に関連して、第６の可能な実施方法において、基地局により、少なくとも２つのナロービームが少なくとも２つの端末にデータを伝送するために使用されることを判定する前記ステップは、前記基地局により、前記ブロードビームを伝送するために使用される前記アンテナ及び前記ナロービームを伝送するために使用される前記アンテナを使用することによって、前記少なくとも２つの端末のうちの各端末により送信された第２のＳＲＳを別々に受信するステップと、前記少なくとも２つの端末のうちの各端末により送信されるとともに、前記ブロードビームを伝送するために使用される前記アンテナ及び前記ナロービームを伝送するために使用される前記アンテナを使用することによって別々に受信された前記第２のＳＲＳの信号強度値に従って、前記ブロードビームを伝送するために使用される前記アンテナから来て前記少なくとも２つの端末のうちの各端末に向かうチャネルのチャネル品質、及び前記ナロービームを伝送するために使用される前記アンテナから来て前記少なくとも２つの端末のうちの各端末に向かうチャネルのチャネル品質を判定するステップと、比較によって、前記ナロービームを伝送するために使用される前記アンテナから来て前記少なくとも２つの端末のうちの各端末に向かう前記チャネルの前記チャネル品質が、前記ブロードビームを伝送するために使用される前記アンテナから来て前記少なくとも２つの端末のうちの各端末に向かう前記チャネルの前記チャネル品質より良いことが得られる場合に、前記ナロービームが前記少なくとも２つの端末のうちの各端末にデータを伝送するために使用されることを判定するステップとを含む。
【００１５】
第１の態様の第６の可能な実施方法に関連して、第７の可能な実施方法において、前記基地局により、前記少なくとも２つの端末のうちの各端末により送信されるとともに、前記ブロードビームを伝送するために使用される前記アンテナ及び前記ナロービームを伝送するために使用される前記アンテナを使用することによって別々に受信された前記第２のＳＲＳの信号強度値に従って、前記ブロードビームを伝送するために使用される前記アンテナから来て前記少なくとも２つの端末のうちの各端末に向かうチャネルのチャネル品質、及び前記ナロービームを伝送するために使用される前記アンテナから来て前記少なくとも２つの端末のうちの各端末に向かうチャネルのチャネル品質を判定する前記ステップは、前記基地局により、前記信号強度値のためのものであるとともに、前記ブロードビームを伝送するために使用される前記アンテナ及び前記ナロービームを伝送するために使用される前記アンテナに対して別々に事前設定された補正値に従って、前記少なくとも２つの端末のうちの各端末により送信されるとともに、前記ブロードビームを伝送するために使用される前記アンテナ及び前記ナロービームを伝送するために使用される前記アンテナを使用することによって別々に受信された前記第２のＳＲＳの前記信号強度値を、前記第２のＳＲＳの各補正された信号強度値を獲得するように補正するステップと、前記第２のＳＲＳの各補正された信号強度値に従って、前記ブロードビームを伝送するために使用される前記アンテナから来て前記少なくとも２つの端末のうちの各端末に向かう前記チャネルの前記チャネル品質、及び前記ナロービームを伝送するために使用される前記アンテナから来て前記少なくとも２つの端末のうちの各端末に向かう前記チャネルの前記チャネル品質を判定するステップとを含む。
【００１６】
第１の態様の第７の可能な実施方法に関連して、第８の可能な実施方法において、比較によって、前記ナロービームを伝送するために使用される前記アンテナから来て前記少なくとも２つの端末のうちの各端末に向かう前記チャネルの前記チャネル品質が、前記ブロードビームを伝送するために使用される前記アンテナから来て前記少なくとも２つの端末のうちの各端末に向かう前記チャネルの前記チャネル品質より良いことが得られる場合に、前記ナロービームが前記少なくとも２つの端末のうちの各端末にデータを伝送するために使用されることを判定する前記ステップは、前記基地局により、前記ナロービームを伝送するために使用される前記アンテナから来て前記少なくとも２つの端末のうちの各端末に向かう前記チャネルの中から最も良いチャネル品質を有するチャネルを選択するステップと、選択されたチャネルの伝送のためのナロービームが前記少なくとも２つの端末のうちの各端末にデータを伝送するために使用されることを判定するステップとを含む。
【００１７】
第１の態様の第３の可能な実施方法に関連して、第９の可能な実施方法において、当該方法は、前記基地局により、前記ブロードビームを使用することによってセル固有参照信号ＣＲＳを送信するステップと、前記基地局により、チャネル状態情報参照信号ＣＳＩ−ＲＳを、前記基地局により伝送される各ナロービームを使用することによって、前記基地局により伝送される各ナロービームに別々に事前設定された前記チャネル状態情報参照信号ＣＳＩ−ＲＳに従って別々に送信するステップであって、異なるナロービームに設定されるＣＳＩ−ＲＳが相互に異なる、ステップとを更に含む。
【００１８】
第１の態様の第９の可能な実施方法に関連して、第１０の可能な実施方法において、前記基地局により、前記の判定されたナロービームを使用することによって、第１の時間−周波数リソースで前記少なくとも２つの端末にデータを伝送する前記ステップは、前記基地局により、前記少なくとも２つの端末のうちの各端末に対して、下記の、前記端末にデータを伝送するために使用されるナロービームに設定されたＣＳＩ−ＲＳのリソース構成インデックスを前記端末に通知する動作と、前記ＣＳＩ−ＲＳを測定することによって前記端末によりフィードバックされた対応するチャネル状態報告を獲得する動作とを別々に実行するステップと、前記少なくとも２つの端末により前記基地局に別々にフィードバックされたチャネル状態報告に従って前記第１の時間−周波数リソースを判定するステップと、前記の判定されたナロービームを使用することによって、前記第１の時間−周波数リソースで前記少なくとも２つの端末にデータを伝送するステップとを含む。
【００１９】
第１の態様の第９の可能な実施方法に関連して、第１１の可能な実施方法において、前記基地局により、前記ブロードビームを使用することによって、前記第２の時間−周波数リソースで前記１つ又は複数の他の端末にデータを伝送する前記ステップは、前記基地局により、前記１つ又は複数の他の端末により受信された前記ＣＲＳを測定することによって前記１つ又は複数の他の端末により前記基地局にフィードバックされたチャネル状態報告を獲得するステップと、前記チャネル状態報告に従って前記第２の時間−周波数リソースを判定するステップと、前記の判定されたブロードビームを使用することによって、前記第２の時間−周波数リソースで前記１つ又は複数の他の端末にデータを伝送するステップとを含む。
【００２０】
第２の態様によれば、ブロードビーム及び少なくとも２つのナロービームを伝送する通信装置であって、当該装置が、少なくとも２つのナロービームが少なくとも２つの端末にデータを伝送するために使用されることを判定するように構成されるナロービーム判定モジュールと、前記ナロービーム判定モジュールにより判定された前記ナロービームを使用することによって、同じ時間−周波数リソースで前記少なくとも２つの端末にデータを伝送するように構成されるデータ伝送モジュールとを含み、前記ブロードビームが当該通信装置のセクタをカバーし、前記ナロービームのカバレージエリアが前記ブロードビームのカバレージエリアに完全に含まれるとともに、前記ブロードビーム及び前記ナロービームが同じ物理セル識別子ＰＣＩを有する、通信装置が提供される。
【００２１】
第２の態様に関連して、第１の可能な実施方法において、当該装置は、前記ブロードビームが前記少なくとも２つの端末と異なる１つ又は複数の他の端末にデータを伝送するために使用されることを判定するように構成されるブロードビーム判定モジュールを更に含み、前記データ伝送モジュールは、前記ブロードビームを使用することによって、前記１つ又は複数の他の端末にデータを伝送するように更に構成される。
【００２２】
第２の態様の第１の可能な実施方法に関連して、第２の可能な実施方法において、前記データ伝送モジュールは、前記の判定されたナロービームを使用することによって、第１の時間−周波数リソースで前記少なくとも２つの端末にデータを伝送するように具体的に構成される。
【００２３】
第２の態様の第２の可能な実施方法に関連して、第３の可能な実施方法において、前記データ伝送モジュールは、前記ブロードビームを使用することによって、前記第１の時間−周波数リソースと異なる第２の時間−周波数リソースで前記１つ又は複数の他の端末にデータを伝送するように具体的に構成される。
【００２４】
第２の態様の第１から第３の可能な実施方法のうちのいずれか１つの実施方法に関連して、第４の可能な実施方法において、前記ブロードビーム判定モジュールは、前記ブロードビームを伝送するために使用されるアンテナ及び前記ナロービームを伝送するために使用されるアンテナを使用することによって、前記１つ又は複数の他の端末のうちの各端末により送信された第１のサウンディング参照信号ＳＲＳを別々に受信するように構成される信号受信サブモジュールと、前記１つ又は複数の他の端末のうちの各端末により送信されるとともに、前記ブロードビームを伝送するために使用される前記アンテナ及び前記ナロービームを伝送するために使用される前記アンテナを使用することによって別々に受信された前記第１のＳＲＳの信号強度値に従って、前記ブロードビームを伝送するために使用される前記アンテナから来て前記１つ又は複数の他の端末のうちの各端末に向かうチャネルのチャネル品質、及び前記ナロービームを伝送するために使用される前記アンテナから来て前記１つ又は複数の他の端末のうちの各端末に向かうチャネルのチャネル品質を判定するように構成されるチャネル品質判定サブモジュールと、比較によって、前記ブロードビームを伝送するために使用される前記アンテナから来て前記１つ又は複数の他の端末のうちの各端末に向かう前記チャネルの前記チャネル品質が、前記ナロービームを伝送するために使用される前記アンテナから来て前記１つ又は複数の他の端末のうちの各端末に向かう前記チャネルの前記チャネル品質より良いことが得られる場合に、前記ブロードビームが前記１つ又は複数の他の端末のうちの各端末にデータを伝送するために使用されることを判定するように構成されるブロードビーム判定サブモジュールとを具体的に含む。
【００２５】
第２の態様の第４の可能な実施方法に関連して、第５の可能な実施方法において、前記チャネル品質判定サブモジュールが、前記信号強度値のためのものであるとともに、前記ブロードビームを伝送するために使用される前記アンテナ及び前記ナロービームを伝送するために使用される前記アンテナに対して別々に事前設定された補正値に従って、前記１つ又は複数の他の端末のうちの各端末により送信されるとともに、前記ブロードビームを伝送するために使用される前記アンテナ及び前記ナロービームを伝送するために使用される前記アンテナを使用することによって別々に受信された前記第１のＳＲＳの前記信号強度値を、前記第１のＳＲＳの各補正された信号強度値を獲得するように補正し、前記第１のＳＲＳの各補正された信号強度値に従って、前記ブロードビームを伝送するために使用される前記アンテナから来て前記１つ又は複数の他の端末のうちの各端末に向かう前記チャネルの前記チャネル品質、及び前記ナロービームを伝送するために使用される前記アンテナから来て前記１つ又は複数の他の端末のうちの各端末に向かう前記チャネルの前記チャネル品質を判定するように具体的に構成される。
【００２６】
第２の態様の第１から第５の可能な実施方法のうちのいずれか１つの実施方法に関連して、第６の可能な実施方法において、前記ナロービーム判定モジュールは、前記ブロードビームを伝送するために使用される前記アンテナ及び前記ナロービームを伝送するために使用される前記アンテナを使用することによって、前記少なくとも２つの端末のうちの各端末により送信された第２のＳＲＳを別々に受信するように構成される信号受信サブモジュールと、前記少なくとも２つの端末のうちの各端末により送信されるとともに、前記ブロードビームを伝送するために使用される前記アンテナ及び前記ナロービームを伝送するために使用される前記アンテナを使用することによって別々に受信された前記第２のＳＲＳの信号強度値に従って、前記ブロードビームを伝送するために使用される前記アンテナから来て前記少なくとも２つの端末のうちの各端末に向かうチャネルのチャネル品質、及び前記ナロービームを伝送するために使用される前記アンテナから来て前記少なくとも２つの端末のうちの各端末に向かうチャネルのチャネル品質を判定するように構成されるチャネル品質判定サブモジュールと、比較によって、前記ナロービームを伝送するために使用される前記アンテナから来て前記少なくとも２つの端末のうちの各端末に向かう前記チャネルの前記チャネル品質が、前記ブロードビームを伝送するために使用される前記アンテナから来て前記少なくとも２つの端末のうちの各端末に向かう前記チャネルの前記チャネル品質より良いことが得られる場合に、前記ナロービームが前記少なくとも２つの端末のうちの各端末にデータを伝送するために使用されることを判定するように構成されるナロービーム判定サブモジュールとを具体的に含む。
【００２７】
第２の態様の第６の可能な実施方法に関連して、第７の可能な実施方法において、前記チャネル品質判定サブモジュールは、前記信号強度値のためのものであるとともに、前記ブロードビームを伝送するために使用される前記アンテナ及び前記ナロービームを伝送するために使用される前記アンテナに対して別々に事前設定された補正値に従って、前記少なくとも２つの端末のうちの各端末により送信されるとともに、前記ブロードビームを伝送するために使用される前記アンテナ及び前記ナロービームを伝送するために使用される前記アンテナを使用することによって別々に受信された前記第２のＳＲＳの前記信号強度値を、前記第２のＳＲＳの各補正された信号強度値を獲得するように補正し、前記第２のＳＲＳの各補正された信号強度値に従って、前記ブロードビームを伝送するために使用される前記アンテナから来て前記少なくとも２つの端末のうちの各端末に向かう前記チャネルの前記チャネル品質、及び前記ナロービームを伝送するために使用される前記アンテナから来て前記少なくとも２つの端末のうちの各端末に向かう前記チャネルの前記チャネル品質を判定するように具体的に構成される。
【００２８】
第２の態様の第７の可能な実施方法に関連して、第８の可能な実施方法において、前記ナロービーム判定サブモジュールは、比較によって、前記ナロービームを伝送するために使用される前記アンテナから来て前記少なくとも２つの端末のうちの各端末に向かう前記チャネルの前記チャネル品質が、前記ブロードビームを伝送するために使用される前記アンテナから来て前記少なくとも２つの端末のうちの各端末に向かう前記チャネルの前記チャネル品質より良いことが得られる場合に、前記ナロービームを伝送するために使用される前記アンテナから来て前記少なくとも２つの端末のうちの各端末に向かう前記チャネルの中から最も良いチャネル品質を有するチャネルを選択し、選択されたチャネルの伝送のためのナロービームが前記少なくとも２つの端末のうちの各端末にデータを伝送するために使用されることを判定するように具体的に構成される。
【００２９】
第２の態様の第３の可能な実施方法に関連して、第９の可能な実施方法において、当該装置は、前記ブロードビームを使用することによってセル固有参照信号ＣＲＳを送信するとともに、チャネル状態情報参照信号ＣＳＩ−ＲＳを、各ナロービームを使用することによって、各伝送されるナロービームに別々に事前設定された前記チャネル状態情報参照信号ＣＳＩ−ＲＳに従って別々に送信し、異なるナロービームに設定されるＣＳＩ−ＲＳが相互に異なる、ように構成される参照信号送信モジュールを更に含む。
【００３０】
第２の態様の第９の可能な実施方法に関連して、第１０の可能な実施方法において、前記データ伝送モジュールは、前記少なくとも２つの端末のうちの各端末に対して、下記の、前記端末にデータを伝送するために使用されるナロービームに設定されたＣＳＩ−ＲＳのリソース構成インデックスを前記端末に通知する動作と、前記ＣＳＩ−ＲＳを測定することによって前記端末によりフィードバックされた対応するチャネル状態報告を獲得する動作とを別々に実行し、前記少なくとも２つの端末により当該装置に別々にフィードバックされたチャネル状態報告に従って前記第１の時間−周波数リソースを判定し、前記の判定されたナロービームを使用することによって、前記第１の時間−周波数リソースで前記少なくとも２つの端末にデータを伝送するように具体的に構成される。
【００３１】
第２の態様の第９の可能な実施方法に関連して、第１１の可能な実施方法において、前記データ伝送モジュールは、前記１つ又は複数の他の端末により受信された前記ＣＲＳを測定することによって前記１つ又は複数の他の端末により当該装置にフィードバックされたチャネル状態報告を獲得し、前記チャネル状態報告に従って前記第２の時間−周波数リソースを判定し、前記の判定されたブロードビームを使用することによって、前記第２の時間−周波数リソースで前記１つ又は複数の他の端末にデータを伝送するように具体的に構成される。
【００３２】
本発明の実施例において提供された前述の技術的解決法の技術的な効果は、下記のとおりである。
【００３３】
本発明の実施例において提供された前述の解決法によれば、基地局は、同時に、基地局のセクタをカバーするブロードビームと、カバレージエリアがブロードビームのカバレージエリアに完全に含まれるナロービームとを伝送し、それは、基地局のセクタのカバレージエリアがブロードビームを使用することによって変わらない状態を維持するという前提の下で、セクタの拡張されたカバレージがナロービームを使用することによって更に達成され、それによりスペクトルの効率を改善することを実施する。解決法では、基地局により伝送されるブロードビームのセクタカバレージエリアは、それでもやはり、変わらない状態を維持し、したがって、セクタ間のカバレージ関係は、影響を受けない。さらに、解決法では、追加のサイトのバックホールリソースも追加の標準化サポートも必要とされない。
【図面の簡単な説明】
【００３４】
【図１】本発明の実施例による通信方法の具体的な実装例の概要のフローチャートである。
【図２】本発明の実施例において提供された解決法による異なるセクタに配置されるブロードビーム及びナロービームの概略図である。
【図３】実施例１における基地局により伝送されるブロードビーム及びナロービームのカバレージエリアの概略図である。
【図４ａ】実施例１におけるブロードビームを使用することによって、ＲＢの粒度で、アンテナポート（Ｐｏｒｔ０）上で基地局により送信されるＣＲＳにより占有されるＲＥの図である。
【図４ｂ】実施例１におけるブロードビームを使用することによって、ＲＢの粒度で、アンテナポート（Ｐｏｒｔ１）上で基地局により送信されるＣＲＳにより占有されるＲＥの図である。
【図５ａ】実施例１におけるＲＢの粒度で、第１のＣＳＩ−ＲＳにより占有されるＲＥの図である。
【図５ｂ】実施例１におけるＲＢの粒度で、第２のＣＳＩ−ＲＳにより占有されるＲＥの図である。
【図５ｃ】実施例１におけるＲＢの粒度で、第３のＣＳＩ−ＲＳにより占有されるＲＥの図である。
【図５ｄ】実施例１におけるＲＢの粒度で、第４のＣＳＩ−ＲＳにより占有されるＲＥの図である。
【図６】本発明の実施例による通信装置の具体的な概略の構造図である。
【図７】本発明の実施例による別の通信装置の具体的な概略の構造図である。
【発明を実施するための形態】
【００３５】
下記は、明細書の添付の図面を参照して本発明の実施例を説明する。ここで説明された実施例は、単に本発明を説明するとともに明らかにするために使用されるが、しかし、本発明を限定することを意図していない、ということが理解されるべきである。さらに、矛盾がない場合に、明細書における実施例、及び実施例における特徴は、相互に結合され得る。
【００３６】
本発明の実施例は、図１で示された通信方法を提供し、ここで、その方法は、主として下記のステップを含む。
【００３７】
ステップ１１：基地局が、基地局により伝送される少なくとも２つのナロービームが少なくとも２つの端末にデータを伝送するために使用されることを判定する。
【００３８】
基地局は、ブロードビーム及び少なくとも２つのナロービームを伝送し得るとともに、前述の“少なくとも２つの端末”は、基地局によって判定されるとともにこれらの端末にデータを伝送するために使用されるべきナロービームのカバレージエリア内に含まれる端末である。具体的には、基地局により現在伝送されるナロービームは、それぞれ、ナロービーム１、ナロービーム２、及びナロービーム３であり、端末１は、ナロービーム１のカバレージエリア内に含まれ、端末２は、ナロービーム２のカバレージエリア内に含まれるとともに、端末３は、ナロービーム２のカバレージエリア内に含まれるばかりでなく、ナロービーム３のカバレージエリア内にも含まれ、その場合に、判定ルールによれば、基地局は、端末１にデータを伝送するためのビームとしてナロービーム１を判定し、端末２にデータを伝送するためのビームとしてナロービーム２を判定し、そして端末３にデータを伝送するためのビームとしてナロービーム２及びナロービーム３の両方を判定し得る、ということが仮定される。ここで説明される判定ルールは、端末１、端末２、及び端末３により別々に送信されるとともに、基地局により受信されるサウンディング参照信号ＳＲＳの信号強度値に関連し得る。具体的な判定ルールが、下記で説明されるとともに、再びここでは説明されない。
【００３９】
本発明のこの実施例では、基地局により伝送されるブロードビーム及びナロービームは、ブロードビームが基地局のセクタをカバーし、ナロービームのカバレージエリアがブロードビームのカバレージエリアより小さく、ナロービームのカバレージエリアがブロードビームのカバレージエリアに完全に含まれるとともに、ブロードビーム及びナロービームが同じ物理セル識別子（Physical  Cell  Identifier、ＰＣＩ）を有する、ということを満たし得る。ブロードビーム及びナロービームが同じＰＣＩを有しているので、下記の、ブロードビーム及びナロービームに対して異なるＰＣＩがそれぞれ使用され、それがブロードビームとナロービームとの間の非常に強い干渉を引き起こし、その結果、端末はブロードビーム及びナロービームを正常に受信することができない、という問題が回避され得る。
【００４０】
本発明のこの実施例では、マクロ基地局が、実例として使用される。マクロ基地局の現存するアンテナ配置が変わらない状態を維持する場合に、マクロ基地局のカバレージエリアの容量の改善は、マクロ基地局のカバレージエリア内の特定のエリアを指し示すために比較的狭い水平のビーム幅を有するいくらかの追加のナロービームを形成することにより実施される。図２において示されたように、太い実線によって概説された範囲は、マクロ基地局により伝送される３つのブロードビームのカバレージエリアを表し、細い実線によって概説された範囲は、３つのブロードビームを伝送する場合に、マクロ基地局により伝送される複数のナロービームのカバレージエリアを表し、点線によって概説された範囲は、マクロ基地局のセクタを表す。細い実線によって概説された１つの囲まれたエリアは、単一のナロービームのカバレージエリアを表す。
【００４１】
図２で示された異なるセクタに配置されるナロービームの数量が異なるかもしれないことは注意する価値がある。一般に、あらゆるセクタに配置されるナロービームの数量は、セクタの中の端末の分布状態、セクタの容量要件などに関連する。さらに、異なるナロービームのアンテナ構成は、同様に、相互に異なり得る。具体的には、ここで説明されたアンテナ構成は、アンテナの水平方向、伝送されるビームの幅、伝送されるビームのダウンチルト角、伝送されるビームの送信電力、及び／又は、ポート（Ｐｏｒｔ）の数量のような、指標の構成を含み得る。
【００４２】
各ナロービームのアンテナ構成は、静的な構成であり得るか、又は準静的な構成であり得る。静的な構成は、例えば、前述の指標がネットワーク計画に基づいてアンテナに対して設定され、一度これらの指標の構成が完成されるならば、これらの指標が通常それ以降調整されない、ということを示し、一方、準静的な構成は、例えば、前述の指標が最初にネットワーク計画に基づいてアンテナに対して設定されることができ、そのあとで、基地局が、統計値の収集を用いて、一定期間（ここで説明される期間は、１時間であり得るか、一日あり得るか、又は同様のものであり得る）内に生成されるとともに、アンテナを使用することにより伝送されたビームに関連する（アンテナによりサービスされる端末の数量に関する情報のような）いくらかの情報を獲得したあとで、アンテナに対して設定された指標が、情報に従って更に設定される、ということを示す。
【００４３】
ステップ１２：基地局が、判定されたナロービームを使用することによって、同じ時間−周波数リソースで前述の少なくとも２つの端末にデータを伝送する。
【００４４】
本発明のこの実施例において提供された方法によれば、基地局は、同時に、基地局のセクタをカバーするブロードビームと、カバレージエリアがブロードビームのカバレージエリアに完全に含まれるナロービームとを伝送し、それは、基地局のセクタのカバレージエリアがブロードビームを使用することによって変わらない状態を維持するという前提の下で、ナロービームを使用することによりデータが端末に更に伝送され、それによりセクタのカバレージを拡張し、そしてシステム容量を改善する目的を達成することを実施することができる。
【００４５】
本発明のこの実施例において、基地局により、判定されたナロービームを使用することによって、同じ時間−周波数リソースで少なくとも２つの端末にデータを伝送するモードは、下記に限定されるものではないが、下記のいくつかのモード及びそれらの組み合わせを含み得る。
１．基地局は、判定されたナロービームを使用することによって、そして異なるナロービームを使用することにより異なる端末にデータを別々に伝送する方法で、同じ時間−周波数リソースで少なくとも２つの端末にデータを伝送する。
２．基地局は、判定されたナロービームを使用することによって、そして少なくとも２つのナロービームを使用することにより同じ端末にデータを伝送する方法で、同じ時間−周波数リソースで少なくとも２つの端末にデータを伝送する。
【００４６】
具体的には、基地局により伝送されるナロービームは、それぞれナロービームＡ、ナロービームＢ、ナロービームＣ、及びナロービームＤであり、端末ａ、端末ｂ、端末ｃ、及び端末ｄが、セクタのブロードビームのカバレージエリアに存在し、各端末が含まれるカバレージエリアは下記のとおりであり、端末ａはナロービームＡのカバレージエリア内に含まれ、端末ｂはナロービームＡ及びナロービームＢの共通のカバレージエリア内に含まれ、端末ｃはナロービームＣのカバレージエリア内に含まれ、端末ｄはナロービームＣ及びナロービームＤの共通のカバレージエリア内に含まれる、ということが仮定される。
【００４７】
その場合に、そのような仮定に基づくと、前述の第１のモードに従って、同じ時間−周波数リソースで、基地局は、ナロービームＡを使用することにより端末ａにデータを伝送し、ナロービームＣを使用することにより端末ｃにデータを伝送し得るとともに、前述の第２のモードに従って、同じ時間−周波数リソースで、基地局は、ナロービームＡ及びナロービームＢの両方を使用することにより端末ｂにデータを伝送し、ナロービームＣ及びナロービームＤの両方を使用することにより端末ｄにデータを伝送し得る。
【００４８】
任意に、本発明のこの実施例において提供された前述の方法は、下記のステップを更に含み得る。
【００４９】
基地局は、ブロードビームが前述の少なくとも２つの端末と異なる１つ又は複数の他の端末にデータを伝送するために使用されることを判定するとともに、ブロードビームを使用することによって、前述の１つ又は複数の他の端末にデータを伝送する。
【００５０】
本発明のこの実施例において、上記ステップ及び前述のステップ１１及びステップ１２の実行順序は指定されず、すなわち、上記ステップは、ステップ１２のあとで実行され得るか、ステップ１１と並列に実行され得るか、又は同様に実行され得る。
【００５１】
本発明のこの実施例において提供された前述の方法は、基地局が基地局により伝送されるブロードビーム及びナロービームを使用することにより異なる端末にデータを別々に伝送し、それによりシステム容量が改善されることができることを実施することができる前述のステップを更に含む。
【００５２】
任意に、基地局が基地局により伝送されるブロードビーム及びナロービームを使用することにより異なる端末にデータを別々に伝送する場合に、前述のステップ１２の具体的な実施方法は、基地局により、判定されたナロービームを使用することによって、第１の時間−周波数リソースで前述の少なくとも２つの端末にデータを伝送するステップを含み得る。同様に、基地局により、ブロードビームを使用することによって、１つ又は複数の他の端末にデータを伝送するステップの具体的な実施方法は、基地局により、ブロードビームを使用することによって、第１の時間−周波数リソースと異なる第２の時間−周波数リソースで１つ又は複数の他の端末にデータを伝送するステップを含み得る。この実施方法によれば、ブロードビーム及びナロービームが異なる端末にデータを別々に伝送するために使用される場合に、ずらされた時間−周波数リソースが使用されることができ、それにより、ブロードビーム及びナロービームが異なる端末にデータを別々に伝送するために使用される場合に、相互干渉を回避する。
【００５３】
本発明のこの実施例では、基地局が、ブロードビームが端末にデータを伝送するために使用されることを判定するか、又は、ナロービームが端末にデータを伝送するために使用されることを判定するかにかかわらず、判定の根拠は、端末により送信されたサウンディング参照信号（Sounding  Reference  Signal、ＳＲＳ）であり得る。その代わりに、もし端末に対してビームにより提供されるサービスの品質のレベルが考慮されないならば、基地局は、端末により送信されたＳＲＳを根拠として使用しないかもしれないが、しかし、その代りに、一度端末がビームのカバレージエリア内に移動することが検知されるならば、ビームを端末にサービスするビームとして選択し、すなわち端末にデータを伝送するためにビームを選択する。
【００５４】
具体的には、基地局により、ブロードビームが１つ又は複数の他の端末にデータを伝送するために使用されることを判定する処理は、基地局により、ブロードビームを伝送するために使用されるアンテナ及びナロービームを伝送するために使用されるアンテナを使用することによって、１つ又は複数の他の端末のうちの各端末により送信された第１のＳＲＳを別々に受信するステップと、１つ又は複数の他の端末のうちの各端末により送信されるとともに、ブロードビームを伝送するために使用されるアンテナ及びナロービームを伝送するために使用されるアンテナを使用することによって別々に受信された第１のＳＲＳの信号強度値に従って、ブロードビームを伝送するために使用されるアンテナから来て１つ又は複数の他の端末のうちの各端末に向かうチャネルのチャネル品質、及びナロービームを伝送するために使用されるアンテナから来て１つ又は複数の他の端末のうちの各端末に向かうチャネルのチャネル品質を判定するステップと、比較によって、ブロードビームを伝送するために使用されるアンテナから来て１つ又は複数の他の端末のうちの各端末に向かうチャネルのチャネル品質が、ナロービームを伝送するために使用されるアンテナから来て１つ又は複数の他の端末のうちの各端末に向かうチャネルのチャネル品質より良いことが得られる場合に、ブロードビームが１つ又は複数の他の端末のうちの各端末にデータを伝送するために使用されることを判定するステップとを含み得る。
【００５５】
例えば、基地局により伝送されるビームは、それぞれブロードビームＡ、ナロービームＢ、及びナロービームＣである、ということが仮定され、前述の“１つ又は複数の他の端末”は、基地局のセクタのブロードビームのカバレージエリア内に含まれる端末ａ及び端末ｂを含む、ということが仮定される。さらに、端末ａにより送信されるとともに、ブロードビームＡを伝送するために使用されるアンテナを使用することにより受信された第１のＳＲＳの信号強度値が−７０ｄＢｍであり、端末ｂにより伝送されるとともに、ブロードビームＡを伝送するために使用されるアンテナを使用することにより受信された第１のＳＲＳの信号強度値が−７４ｄＢｍであり、端末ａにより送信されるとともに、ナロービームＢを伝送するために使用されるアンテナを使用することにより受信された第１のＳＲＳの信号強度値が−７６ｄＢｍであり、端末ｂにより送信されるとともに、ナロービームＢを伝送するために使用されるアンテナを使用することにより受信された第１のＳＲＳの信号強度値が−７８ｄＢｍであり、端末ａにより送信されるとともに、ナロービームＣを伝送するために使用されるアンテナを使用することにより受信された第１のＳＲＳの信号強度値が−７８ｄＢｍであり、端末ｂにより送信されるとともに、ナロービームＣを伝送するために使用されるアンテナを使用することにより受信された第１のＳＲＳの信号強度値が−７９ｄＢｍである、ということが仮定される。端末から来て、そしてアンテナを使用することにより受信された第１のＳＲＳの信号強度値は、アンテナから端末までのチャネルのチャネル品質のレベルを直接的に示し得るとともに、より大きい信号強度値は、対応するチャネルのより良いチャネル品質を示す。
【００５６】
前述の説明に基づいて、端末ａに関して、端末ａにより送信されるとともに、ブロードビームＡを伝送するために使用されるアンテナを使用することにより受信された第１のＳＲＳの信号強度値−７０ｄＢｍは、端末ａにより送信されるとともに、ナロービームＢを伝送するために使用されるアンテナを使用することにより受信された第１のＳＲＳの信号強度値−７６ｄＢｍより大きいだけでなく、端末ａにより送信されるとともに、ナロービームＣを伝送するために使用されるアンテナを使用することにより受信された第１のＳＲＳの信号強度値−７８ｄＢｍよりも大きく、それにより、ブロードビームＡを伝送するために使用されるアンテナから来て端末ａに向かうチャネルのチャネル品質がより高く、したがって、ブロードビームＡが、端末ａにデータを伝送するために使用されるビームとして判定され得る、ということが学習されることができる。
【００５７】
同様に、端末ｂに関して、端末ｂにより送信されるとともに、ブロードビームＡを伝送するために使用されるアンテナを使用することにより受信された第１のＳＲＳの信号強度値−７４ｄＢｍは、端末ｂにより送信されるとともに、ナロービームＢを伝送するために使用されるアンテナを使用することにより受信された第１のＳＲＳの信号強度値−７８ｄＢｍより大きいだけでなく、端末ｂにより送信されるとともに、ナロービームＣを伝送するために使用されるアンテナを使用することにより受信された第１のＳＲＳの信号強度値−７９ｄＢｍよりも大きく、それにより、ブロードビームＡを伝送するために使用されるアンテナから来て端末ｂに向かうチャネルのチャネル品質がより高く、したがって、ブロードビームＡが、端末ｂにデータを伝送するために使用されるビームとして判定され得る。
【００５８】
任意に、基地局により、１つ又は複数の他の端末のうちの各端末により送信されるとともに、ブロードビームを伝送するために使用されるアンテナ及びナロービームを伝送するために使用されるアンテナを使用することによって別々に受信された第１のＳＲＳの信号強度値に従って、ブロードビームを伝送するために使用されるアンテナから来て１つ又は複数の他の端末のうちの各端末に向かうチャネルのチャネル品質、及びナロービームを伝送するために使用されるアンテナから来て１つ又は複数の他の端末のうちの各端末に向かうチャネルのチャネル品質を判定する処理は、下記の、基地局により、信号強度値のためのものであるとともに、ブロードビームを伝送するために使用されるアンテナ及びナロービームを伝送するために使用されるアンテナに対して別々に事前設定された補正値に従って、１つ又は複数の他の端末のうちの各端末により送信されるとともに、ブロードビームを伝送するために使用されるアンテナ及びナロービームを伝送するために使用されるアンテナを使用することによって別々に受信された第１のＳＲＳの信号強度値を、第１のＳＲＳの各補正された信号強度値を獲得するように補正するステップと、基地局により、第１のＳＲＳの各補正された信号強度値に従って、ブロードビームを伝送するために使用されるアンテナから来て１つ又は複数の他の端末のうちの各端末に向かうチャネルのチャネル品質、及びナロービームを伝送するために使用されるアンテナから来て１つ又は複数の他の端末のうちの各端末に向かうチャネルのチャネル品質を判定するステップとを具体的に含み得る。
【００５９】
信号強度値のための補正値に従って、アンテナを使用することによって受信された第１のＳＲＳの信号強度値を補正することの具体的な実例は、下記のようになる。基地局により伝送されるビームは、１つのブロードビーム及び２つのナロービームを含み、ブロードビームを伝送するために使用されるアンテナ及びナロービームを伝送するために使用されるアンテナを使用することによって別々に受信された第１のＳＲＳの信号強度値は、それぞれ、−７０ｄＢｍ、−７２ｄＢｍ、及び−７７ｄＢｍであり、信号強度値のためのものであるとともに、ブロードビームを伝送するために使用されるアンテナ及びナロービームを伝送するために使用されるアンテナに対して別々に設定された補正値は、それぞれ、３ｄＢ、６ｄＢ、及び６ｄＢである、ということが仮定される。第１のＳＲＳの信号強度値であるとともに、これらのいくつかの信号強度値−７０ｄＢｍ、−７２ｄＢｍ、及び−７７ｄＢｍが補正されたあとで得られる補正された信号強度値は、それぞれ、−６７ｄＢｍ、−６６ｄＢｍ、及び−７１ｄＢｍである。ブロードビームを伝送するために使用されるアンテナ及びナロービームを伝送するために使用されるアンテナに対して別々に設定された、信号強度値のための補正値は、ブロードビームを伝送するために使用されるアンテナ及びナロービームを伝送するために使用されるアンテナのアンテナ利得、ナロービームを伝送するために使用されるアンテナの数量、異なるビームによりサービスされる端末の数量、及び異なるビームの送信電力、のような要因に関連し得る。
【００６０】
同様に、基地局により、基地局によって伝送される少なくとも２つのナロービームが少なくとも２つの端末にデータを伝送するために使用されることを判定する処理は、基地局により、ブロードビームを伝送するために使用されるアンテナ及びナロービームを伝送するために使用されるアンテナを使用することによって、少なくとも２つの端末のうちの各端末により送信された第２のＳＲＳを別々に受信するステップと、少なくとも２つの端末のうちの各端末により送信されるとともに、ブロードビームを伝送するために使用されるアンテナ及びナロービームを伝送するために使用されるアンテナを使用することによって別々に受信された第２のＳＲＳの信号強度値に従って、ブロードビームを伝送するために使用されるアンテナから来て少なくとも２つの端末のうちの各端末に向かうチャネルのチャネル品質、及びナロービームを伝送するために使用されるアンテナから来て少なくとも２つの端末のうちの各端末に向かうチャネルのチャネル品質を判定するステップと、比較によって、ナロービームを伝送するために使用されるアンテナから来て少なくとも２つの端末のうちの各端末に向かうチャネルのチャネル品質が、ブロードビームを伝送するために使用されるアンテナから来て少なくとも２つの端末のうちの各端末に向かうチャネルのチャネル品質より良いことが得られる場合に、ナロービームが少なくとも２つの端末のうちの各端末にデータを伝送するために使用されることを判定するステップとを含み得る。
【００６１】
例えば、基地局により伝送されるナロービームは、それぞれ、ナロービームＡ、ナロービームＢ、及びナロービームＣである、ということが更に仮定されるとともに、前述の“少なくとも２つの端末”は、基地局のセクタのブロードビームのカバレージエリア内に含まれる端末ｃ及び端末ｄを含む、ということが仮定される。さらに、端末ｃにより送信されるとともに、ブロードビームＡを伝送するために使用されるアンテナを使用することにより受信された第２のＳＲＳの信号強度値が−７９ｄＢｍであり、端末ｄにより伝送されるとともに、ブロードビームＡを伝送するために使用されるアンテナを使用することにより受信された第２のＳＲＳの信号強度値が−７８ｄＢｍであり、端末ｃにより送信されるとともに、ナロービームＢを伝送するために使用されるアンテナを使用することにより受信された第２のＳＲＳの信号強度値が−７６ｄＢｍであり、端末ｄにより送信されるとともに、ナロービームＢを伝送するために使用されるアンテナを使用することにより受信された第２のＳＲＳの信号強度値が−７６ｄＢｍであり、端末ｃにより送信されるとともに、ナロービームＣを伝送するために使用されるアンテナを使用することにより受信された第２のＳＲＳの信号強度値が−７５ｄＢｍであり、端末ｄにより送信されるとともに、ナロービームＣを伝送するために使用されるアンテナを使用することにより受信された第２のＳＲＳの信号強度値が−７３ｄＢｍである、ということが仮定される。端末から来て、そしてアンテナを使用することにより受信された第２のＳＲＳの信号強度値は、アンテナから端末までのチャネルのチャネル品質のレベルを直接的に示し得るとともに、より大きい信号強度値は、対応するチャネルのより良いチャネル品質を示す。
【００６２】
前述の説明に基づいて、端末ｃに関して、端末ｃにより送信されるとともに、ブロードビームＡを伝送するために使用されるアンテナを使用することにより受信された第２のＳＲＳの信号強度値−７９ｄＢｍは、端末ｃにより送信されるとともに、ナロービームＢを伝送するために使用されるアンテナを使用することにより受信された第２のＳＲＳの信号強度値−７６ｄＢｍより小さいだけでなく、端末ｃにより送信されるとともに、ナロービームＣを伝送するために使用されるアンテナを使用することにより受信された第２のＳＲＳの信号強度値−７５ｄＢｍよりも小さく、それにより、ナロービームを伝送するために使用されるアンテナから来て端末ｃに向かうチャネルのチャネル品質がより高く、特に、ナロービームＣを伝送するために使用されるアンテナから来て端末ｃに向かうチャネルのチャネル品質がより高いということが判定されることができ、したがって、ナロービームＣが、端末ｃにデータを伝送するために使用されるビームとして判定され得る、ということが学習されることができる。
【００６３】
同様に、端末ｄに関して、端末ｄにより送信されるとともに、ブロードビームＡを伝送するために使用されるアンテナを使用することにより受信された第２のＳＲＳの信号強度値−７８ｄＢｍは、端末ｄにより送信されるとともに、ナロービームＢを伝送するために使用されるアンテナを使用することにより受信された第２のＳＲＳの信号強度値−７６ｄＢｍより小さいだけでなく、端末ｄにより送信されるとともに、ナロービームＣを伝送するために使用されるアンテナを使用することにより受信された第２のＳＲＳの信号強度値−７５ｄＢｍよりも小さく、それにより、ナロービームを伝送するために使用されるアンテナから来て端末ｄに向かうチャネルのチャネル品質がより高く、特に、ナロービームＣを伝送するために使用されるアンテナから来て端末ｄに向かうチャネルのチャネル品質がより高いということが判定されることができ、したがって、ナロービームＣが、端末ｄにデータを伝送するために使用されるビームとして判定され得る。
【００６４】
任意に、基地局により、少なくとも２つの端末のうちの各端末により送信されるとともに、ブロードビームを伝送するために使用されるアンテナ及びナロービームを伝送するために使用されるアンテナを使用することによって別々に受信された第２のＳＲＳの信号強度値に従って、ブロードビームを伝送するために使用されるアンテナから来て少なくとも２つの端末のうちの各端末に向かうチャネルのチャネル品質、及びナロービームを伝送するために使用されるアンテナから来て少なくとも２つの端末のうちの各端末に向かうチャネルのチャネル品質を判定する処理は、最初に、基地局により、信号強度値のためのものであるとともに、ブロードビームを伝送するために使用されるアンテナ及びナロービームを伝送するために使用されるアンテナに対して別々に事前設定された補正値に従って、少なくとも２つの端末のうちの各端末により送信されるとともに、ブロードビームを伝送するために使用されるアンテナ及びナロービームを伝送するために使用されるアンテナを使用することによって別々に受信された第２のＳＲＳの信号強度値を、第２のＳＲＳの各補正された信号強度値を獲得するように補正するステップ（ここで、信号強度値の補正値に従って第２のＳＲＳの信号強度値を補正する方法は、前述の説明における方法と同様であり、再びここでは説明されない）と、次に、基地局により、第２のＳＲＳの各補正された信号強度値に従って、ブロードビームを伝送するために使用されるアンテナから来て少なくとも２つの端末のうちの各端末に向かうチャネルのチャネル品質、及びナロービームを伝送するために使用されるアンテナから来て少なくとも２つの端末のうちの各端末に向かうチャネルのチャネル品質を判定するステップとを具体的に含み得る。
【００６５】
任意に、比較によって、ナロービームを伝送するために使用されるアンテナから来て少なくとも２つの端末のうちの各端末に向かうチャネルのチャネル品質が、ブロードビームを伝送するために使用されるアンテナから来て少なくとも２つの端末のうちの各端末に向かうチャネルのチャネル品質より良いことが得られる場合に、基地局により、ナロービームが少なくとも２つの端末のうちの各端末にデータを伝送するために使用されることを判定するステップの具体的な実施処理は、基地局により、ナロービームを伝送するために使用されるアンテナから来て少なくとも２つの端末のうちの各端末に向かうチャネルの中から最も良いチャネル品質を有するチャネルを選択するステップと、選択されたチャネルの伝送のためのナロービームが少なくとも２つの端末のうちの各端末にデータを伝送するために使用されることを判定するステップとを含み得る。
【００６６】
本発明のこの実施例において、基地局は、最初に、第２のＳＲＳの各補正された信号強度値に従って、異なるナロービームを別々に伝送するために使用されるアンテナにおいて、少なくとも２つのアンテナから端末までのチャネルのチャネル品質がブロードビームを伝送するために使用されるアンテナから来て端末に向かうチャネルのチャネル品質より良い、少なくとも２つのアンテナが存在するかどうかを更に判定し得る。もし判定の結果がそのような少なくとも２つのアンテナが存在するということならば、第２のＳＲＳの最も大きい補正された信号強度値、及び第２のＳＲＳの二番目に大きい補正された信号強度値が、第２のＳＲＳの補正された信号強度値の中から判定され得る。さらに、もし、第２のＳＲＳの最も大きい補正された信号強度値と第２のＳＲＳの二番目に大きい補正された信号強度値との間の差異が設定しきい値より小さい、ということが判定されるならば、第２のＳＲＳの最も大きい補正された信号強度値に対応するチャネルの伝送のためのナロービーム、及び第２のＳＲＳの二番目に大きい補正された信号強度値に対応するチャネルの伝送のためのナロービームが、端末にデータを伝送するために選択され得る。この方法によれば、空間分割多重化の利得を獲得するために、チャネルの間のチャネル品質の差異が比較的小さいチャネルの伝送のための２つのナロービームが、端末にデータを共同で伝送するために選択され得る。
【００６７】
下記では、基地局が端末にデータを伝送するために使用されるビームの判定を完了したあとで、どのように、判定されたナロービームを使用することによって、第１の時間−周波数リソースで少なくとも２つの端末にデータを伝送するか、及び、どのように、ブロードビームを使用することによって、第２の時間−周波数リソースで少なくとも２つの端末と異なる１つ又は複数の他の端末にデータを伝送するか、が更に説明される。
【００６８】
基地局は、ブロードビームを使用することによってセル固有参照信号（Cell-specific  reference  signals、ＣＲＳ）を送信するとともに、基地局により伝送される各ナロービームに別々に事前設定されたチャネル状態情報参照信号（Channel  State  Indication  Reference  Signals、ＣＳＩ−ＲＳ）に従って、チャネル状態情報参照信号ＣＳＩ−ＲＳを、基地局により伝送される各ナロービームを使用することによって別々に送信することができ、ここで、異なるナロービームに設定されるＣＳＩ−ＲＳは相互に異なる。具体的には、ブロードビームを使用することによって基地局により送信されるＣＲＳ、及び各ナロービームを使用することによって基地局により送信されるＣＳＩ−ＲＳは、実施例１において更に説明される。
【００６９】
基地局は、続いて、端末により受信された参照信号に関して端末によりフィードバックされたチャネル状態報告に基づいて、端末にデータを伝送するために使用される時間−周波数リソースを選択し得る。具体的には、基地局により、判定されたナロービームを使用することによって、第１の時間−周波数リソースで少なくとも２つの端末にデータを伝送するステップの具体的な実施処理は、下記のサブステップを含み得る。
【００７０】
サブステップ１：基地局は、少なくとも２つの端末のうちの各端末に対して、下記の、端末にデータを伝送するために使用されるナロービームに設定されたＣＳＩ−ＲＳのリソース構成インデックスを端末に通知する動作と、ＣＳＩ−ＲＳを測定することによって端末によりフィードバックされた対応するチャネル状態報告を獲得する動作と実行し、ここで、異なるナロービームに設定されるＣＳＩ−ＲＳは相互に異なるとともに、異なるＣＳＩ−ＲＳのリソース構成インデックスは、同様に、相互に異なる。
【００７１】
端末について、端末は、端末にデータを伝送するために使用されるナロービームに対して設定されたＣＳＩ−ＲＳのリソース構成インデックスであるとともに、基地局により通知されたリソース構成インデックスに従って、対応するチャネル状態報告を獲得するために、インデックスに適合するＣＳＩ−ＲＳを測定し得るとともに、チャネル状態報告を基地局にフィードバックし得る。
【００７２】
サブステップ２：基地局は、少なくとも２つの端末により基地局に別々にフィードバックされたチャネル状態報告に従って第１の時間−周波数リソースを判定する。
【００７３】
一般に、端末は、基地局に、全帯域上の各サブバンドのチャネル状態をフィードバックする。このようにして、基地局は、比較的良いチャネル状態、すなわち比較的高いチャネル品質を有するチャネルのリソースブロックを、端末にデータを伝送するために続いて使用されるリソースブロックとして選択し得る。基地局により選択されるリソースブロックは、ここで説明された第１の時間−周波数リソースである。本発明のこの実施例において、基地局により、端末によりフィードバックされたチャネル状態報告に従って、データを伝送するために続いて使用される時間−周波数リソースを判定する方法は、従来技術における同様の方法であることができ、したがって、詳細は、再びここでは説明されない。
【００７４】
サブステップ３：基地局は、判定されたナロービームを使用することによって、第１の時間−周波数リソースで少なくとも２つの端末にデータを伝送する。
【００７５】
同様に、基地局により、ブロードビームを使用することによって、第２の時間−周波数リソースで少なくとも２つの端末と異なる１つ又は複数の他の端末にデータを伝送するステップの具体的な実施処理は、下記のサブステップを含み得る。
【００７６】
サブステップ１：基地局は、１つ又は複数の他の端末により受信されたＣＲＳを測定することによって１つ又は複数の他の端末により基地局にフィードバックされたチャネル状態報告を獲得する。
【００７７】
サブステップ２：基地局は、チャネル状態報告に従って第２の時間−周波数リソースを判定する。
【００７８】
基地局により、チャネル状態報告に従って第２の時間−周波数リソースを判定する方法は、基地局により、チャネル状態報告に従って第１の時間−周波数リソースを判定する上記の方法と同様であり、したがって、詳細は、再びここでは説明されない。
【００７９】
サブステップ３：基地局は、ブロードビームを使用することによって、第２の時間−周波数リソースで１つ又は複数の他の端末にデータを伝送する。
【００８０】
本発明の実施例において提供された前述の解決法によれば、基地局は、同時に、カバレージエリアが基地局のセクタの事前設定されたカバレージエリアより小さくないブロードビームと、カバレージエリアがブロードビームのカバレージエリアに完全に含まれるナロービームとを伝送し、それは、基地局のセクタのカバレージエリアがブロードビームを使用することによって変わらない状態を維持するという前提の下で、セクタのカバレージを拡張し、そしてシステム容量を改善する目的が、ナロービームを使用することにより更に達成されることを実施する。解決法では、基地局により伝送されるブロードビームのセクタカバレージエリアは、それでもやはり、変わらない状態を維持し、したがって、セクタ間のカバレージ関係は、影響を受けない。さらに、解決法では、追加のサイトのバックホールリソースも追加の標準化サポートも必要とされない。
【００８１】
本発明の実施例において提供された解決法の実際のアプリケーションを詳細に説明するために、複数の実施例が下記において実例として使用される。
【００８２】
「実施例１」
実施例１では、基地局が、前述のブロードビームを伝送している場合に、ナロービームを更に伝送する場合において、端末が携帯電話のようなユーザ装置（User  Equipment、ＵＥ）である実例が使用される。従来技術におけるオリジナルのＵＥアタッチメント処理に対するナロービームの影響を回避するために、基地局は、ブロードビームを使用することにより、ブロードビームの全てのサブフレームにおいて、全帯域上でＣＲＳを更に送信することを許可され得る。例えば、基地局は、１つのブロードビームを伝送している場合に、３つのナロービームを更に伝送し、ブロードビームを伝送するために使用されるアンテナは２つのポートを有しているとともに、単一のナロービームを伝送するために使用されるアンテナは、同様に、２つのポートを有しており、その場合に、基地局により伝送されるブロードビーム及びナロービームは、図３において示されたカバレージエリアを形成し得る、ということが仮定される。図３における線の意味については、図２における線の意味の前述の説明に対して参照が行われ、詳細は、再びここでは説明されない。
【００８３】
図３において示された前提条件に基づいて、基地局は、ブロードビームの全帯域上の全てのリソースブロック（Resource  Block、ＲＢ）でＣＲＳを送信し得る。
【００８４】
具体的には、図４ａ及び図４ｂは、前述の前提条件の下でブロードビームを使用することによって、ＲＢの粒度で、アンテナポートＰｏｒｔ０及びアンテナポートＰｏｒｔ１上で基地局により別々に送信されるＣＲＳにより占有されるＲＥの図を示す。図において、Ｒ０及びＲ１は、ＣＲＳを、アンテナポートＰｏｒｔ０及びアンテナポートＰｏｒｔ１上に、それぞれマッピングするためのＲＥであり、ｌは、単一のタイムスロットに含まれるＯＦＤＭシンボルの数を表し、グリッド影で満たされたＲＥは、このアンテナポート（すなわち、アンテナポートＰｏｒｔ０又はアンテナポートＰｏｒｔ１）上のデータ伝送のために使用されることができない（Not  used  for  transmission  on  this  antenna  port）ＲＥである。さらに、ＰＤＳＣＨ伝送のための候補ＲＥ（Candidate  RE  for  PDSCH）、すなわち色で満たされていないＲＥが、図４ａ及び図４ｂにおいて更に示されている。
【００８５】
実施例１において、ＣＲＳは、ブロードビームのみを使用して送信され、したがって、基地局がブロードビーム及びナロービームを伝送する場合に、基地局により伝送されるナロービームは、ブロードビームによりカバーされるセクタと近隣のセルとの間のカバレージ関係に影響を及ぼさない、ということが保証されることができる。さらに、伝送は、同様に、ブロードビームを使用することにより、ＰＤＣＣＨ及び物理報知チャネル（ＰＢＣＨ、Physical  Broadcast  Channel）のような、ＣＲＳに基づいて復調される全てのチャネル上で実行され得る。
【００８６】
ナロービームに関して、ナロービームを使用することによりデータがＵＥに伝送されるまえに、時間−周波数リソースが、ＵＥにデータを伝送するために使用されるべきナロービームのアンテナから来てＵＥに向かうチャネルの状態に基づいて、ＵＥに対して適切にスケジュールされることができ、したがって、ＵＥは、基地局に、ＵＥにデータを伝送するために使用されるナロービームのチャネル状態を適切にフィードバックし得る。
【００８７】
実施例１において、ナロービームを使用することによりデータ伝送を実行することになるＵＥを、ナロービームのチャネル状態を適切にフィードバックすることができるようにするために、各ナロービームは、異なるＣＳＩ−ＲＳを送信するために使用され得る。さらに、ナロービームは、ブロードビームを使用することにより送信されるＣＲＳと同じＣＲＳを送信するために使用され得るか、又はナロービームは、ＣＲＳを送信しないために使用され得る。ナロービームがＣＲＳを送信するために使用されるかどうかにかかわらず、異なるビームを使用することにより伝送が実行される制御チャネルの間の干渉、及びユーザ装置が異なるビームの間を移動する場合に発生し得るハンドオーバを回避する目的を達成するために、実施例１では、同じＰＣＩがブロードビーム及びナロービームに対して使用される、ということに注意する必要がある。
【００８８】
実施例１では、ナロービームを使用することにより、ＣＲＳの代わりにＣＳＩ−ＲＳが送信され得る。ＣＳＩ−ＲＳはＬＴＥ  Ｒｅｌ−９リリースにおいて定義されたダウンリンクパイロット信号であり、ＣＳＩ−ＲＳの最小の送信期間は５ｍｓであり、そしてＣＳＩ−ＲＳにより占有されるＲＥの配置は２０個の構成を有し得る。もし基地局が同時に４つのナロービームを伝送し、そして各ナロービームが２つのアンテナポート上で伝送されるならば、４つのナロービームは、それぞれ４つの異なるＣＳＩ−ＲＳを送信するために使用され得る。ＬＴＥ−Ａｄｖａｎｃｅｄ  Ｒ１０リリースにおけるＲＥの構成方法に対する規定に従って、ＲＢの粒度でこれらの４つの異なるＣＳＩ−ＲＳにより占有されるＲＥの図が図５ａから図５ｄに示される、ということが学習されることができる。図において、それぞれ黒い影で満たされた２つのＲＥは、ＣＳＩ−ＲＳを送信するために使用される２つのアンテナポートを使用することにより別々に送信されたＣＳＩ−ＲＳにより占有されるＲＥであり、グリッド影で満たされたＲＥは、このアンテナポート上のデータ伝送のために使用されることができない（Not  used  for  transmission  on  this  antenna  port）ＲＥである。さらに、図５ａから図５ｄは、ＰＤＳＣＨ伝送のために使用される候補ＲＥ、すなわち色で満たされていないＲＥを更に示すとともに、偶数スロット（Even  slot）及び奇数スロット（Odd
slot）を示す。情報は、従来技術の改善を必要とせず、したがって、詳細は、再びここでは説明されない。実施例１では、あらゆるナロービームに関して、基地局は、ナロービームを使用することによりデータ伝送を実行することになるＵＥに対して、対応するＵＥにデータを伝送するために使用されるナロービームに対して設定されたＣＳＩ−ＲＳのリソース構成インデックスに適合するＣＳＩ−ＲＳを受信する場合に、ＣＳＩ−ＲＳを測定するとともにチャネル状態報告を報告することを対応するＵＥに指示するために、ナロービームの（ＣＳＩ−ＲＳのリソース構成インデックスのような）ＣＳＩ−ＲＳのパイロット構成を通知する。したがって、チャネル状態報告を受信したあとで、基地局は、ナロービームを伝送するために使用されるアンテナから来てＵＥに向かうチャネルの品質を判定し得るとともに、判定されたチャネルの品質に従って、ナロービームを使用することによりダウンリンクデータを送信する場合に必要とされる適切な時間−周波数リソースを判定し得る。
【００８９】
同様に、ブロードビームに関して、基地局は、ブロードビームを使用することにより、ブロードビームを使用することによりデータ伝送を実行することになるＵＥにＣＲＳを送信し得る。さらに、ブロードビームを使用することによりデータ伝送を実行することになるＵＥによりＣＲＳを測定することによってフィードバックされたチャネル状態報告を受信したあとに、基地局は、ブロードビームを伝送するために使用されるアンテナから来てＵＥに向かうチャネルの品質を判定し得るとともに、判定されたチャネルの品質に従って、ブロードビームを使用することによりダウンリンクデータを送信する場合に必要とされる適切な時間−周波数リソースを判定し得る。
【００９０】
具体的には、基地局により、異なるビームを使用することによって伝送されるダウンリンクデータにより占有される時間−周波数リソースを選択するステップの具体的な実施方法については、下記の実施例３に対して参照が行われる。
【００９１】
もし複数のナロービームが同じＵＥにデータを伝送するために使用されるならば、複数のＣＳＩ−ＲＳの対応するリソース構成インデックスがＵＥに対して設定され得るとともに、このようにして、ＵＥは、複数のＣＳＩ−ＲＳに基づいてチャネル状態の報告を実行し得る、ということに注意する必要がある。具体的には、どのように複数のナロービームが同じＵＥにデータを伝送するために使用されることを判定するかに関する実施方法については、下記の実施例４に対して参照が行われる。
【００９２】
「実施例２」
本発明のこの実施例において提供された通信方法によれば、基地局は、ブロードビーム及び少なくとも２つのナロービームを同時に伝送し、したがって、データが特定のＵＥに伝送されるとともに、ＣＳＩ−ＲＳの構成インデックスが特定のＵＥに対して示されるまえに、１つ又は複数の適切なサービングビームが、最初に、特定のＵＥに対して選択され得る。
【００９３】
経路損失の相互関係に起因して、サービングビームが特定のＵＥに対して選択される場合に、選択は、アップリンク信号に基づいて実行され得るか、又はダウンリンク信号に基づいて実行され得る。実施例２では、基地局は、ＵＥに対して、ブロードビームを伝送するために使用されるアンテナ及びナロービームを伝送するために使用されるアンテナを使用することによって受信されたＳＲＳの信号強度値に基づいて、ＵＥにデータを伝送するために使用されるビームを選択する、ということが仮定される。
【００９４】
ＬＴＥシステムでは、ＵＥは、基地局の設定に従って、ＳＲＳを定期的に送信することができ、それにより、基地局は、ＵＥから基地局までのアップリンクチャネルを判定する。異なるＵＥにより送信されるＳＲＳは、ＴＤＭ／ＦＤＭ／ＣＤＭを使用することにより区別され得る。
【００９５】
実施例２では、あらゆるＵＥにより送信されたＳＲＳが受信されるたびに、基地局において異なるビームを伝送するために使用されるアンテナは、ＵＥにより送信されるとともにアンテナを使用することにより受信されたＳＲＳの信号強度値を記録し、それにより、基地局は、ＵＥにより送信されるＳＲＳの信号強度値であるとともにアンテナにより何回も記録された信号強度値に基づいて、ＵＥにより送信されるＳＲＳの信号強度値であるとともに各アンテナにより記録されたＳＲＳの信号強度値の平均値を、別々に計算し得る。
【００９６】
その場合に、任意に、基地局は、信号強度値のための事前設定された補正値に従って、ＵＥにより送信されたＳＲＳの信号強度値の各計算された平均値を補正し得る。例えば、ブロードビームを伝送するために使用されるアンテナに関して、アンテナに対応するＳＲＳの信号強度値の平均値は、アンテナに対して事前設定された第１の補正値に従って補正され得る。具体的な補正の方法は、アンテナに対応するＳＲＳの信号強度値の平均値から第１の補正値を減算することであっても良く、それは、アンテナに対応するＳＲＳの信号強度値の平均値を減少させることに相当する。
【００９７】
実施例２では、異なる補正値が、異なるビームを伝送するために使用されるアンテナに対して設定され得る。具体的には、基地局により伝送されるビームの数量、ビームの送信電力、異なるビームによりサービスされることができるとともに、異なるビームに対して予測されるＵＥの数量、及び／又は、同様のものが、前述の補正値を設定するために基準として使用され得る。例えば、もしブロードビームによりサービスされることができるとともに、ブロードビームに対して予測されるＵＥの数量が、あらゆるナロービームによりサービスされるＵＥの数量より多いとともに、ブロードビームの送信電力の値が、あらゆるナロービームの送信電力の値より大きいならば、ＵＥにデータを伝送するために使用されるサービングビームとしてブロードビームを選択する可能性をより大きくするために、より小さい補正値がブロードビームを伝送するために使用されるアンテナに対して設定され得るとともに、より大きい補正値がナロービームを伝送するために使用されるアンテナに対して設定され得る。
【００９８】
別の実例に関して、もし基地局により伝送されるナロービームの数量が指定された数量しきい値より大きいならば、ＵＥにデータを伝送するために使用されるサービングビームとしてナロービームを選択する可能性をより大きくするために、より大きい補正値がブロードビームを伝送するために使用されるアンテナに対して設定され得るとともに、より小さい補正値がナロービームを伝送するために使用されるアンテナに対して設定され得る。
【００９９】
さらに別の実例に関して、もし基地局により伝送されるナロービームの送信電力が別のナロービームの送信電力より大きいならば、ＵＥのサービングビームとして別のナロービームを選択する可能性と比較して、ＵＥのサービングビームとして上記ナロービームを選択する可能性をより大きくするために、より小さい補正値が上記ナロービームを伝送するために使用されるアンテナに対して設定され得るとともに、より大きい補正値が別のナロービームを伝送するために使用されるアンテナに対して設定され得る。
【０１００】
実施例２では、ＵＥのＳＲＳであり、そして異なるビームを伝送するために使用されるアンテナを使用することによって受信されたＳＲＳの信号強度値の平均値の補正が完了する場合に、信号強度値の補正された平均値に基づいて、ＳＲＳを送信するＵＥにデータを伝送するために使用されるサービングビームが、判定基準に従って、ＵＥに対して選択される、ことが実施されることができる。例えば、信号強度値の最も大きい補正された平均値に対応するアンテナを使用することにより伝送されるビームのみが、ＵＥにデータを伝送するために使用されるビームとして選択され得る。任意に、信号強度値の最も大きい補正された平均値及び信号強度値の二番目に大きい補正された平均値に対応するアンテナを使用することにより別々に伝送されるビームはナロービームであり、最も大きい補正された平均値と二番目に大きい補正された平均値との間の差異は指定された差異しきい値より小さく、最も大きい補正された平均値と二番目に大きい補正された平均値にそれぞれ対応するアンテナを使用することにより伝送されるナロービームが、ＵＥにデータを伝送するために使用されるビームとして選択され得る。
【０１０１】
「実施例３」
実際のアプリケーションでは、あらゆるナロービームのカバレージエリアはブロードビームのカバレージエリアに完全に含まれるとともに、その結果、もしブロードビームとナロービームの両方が同じ時間−周波数リソースでダウンリンクデータ伝送を実行するために使用されるならば、強い干渉がブロードビームとナロービームとの間に発生する。したがって、ブロードビームとナロービームとの間の強い干渉の発生を回避するために、対応するリソース割り当てメカニズムが、実施例３において提案される。
【０１０２】
主として下記を含むリソース割り当てメカニズムが、実施例３において提案される。
【０１０３】
１．ナロービームは、ブロードビームを使用することにより伝送されるダウンリンクデータにより占有される時間−周波数リソースでダウンリンクデータ伝送を実行するために使用されず、ブロードビームは、ナロービームを使用することにより伝送されるダウンリンクデータにより占有される時間−周波数リソースでダウンリンクデータ伝送を実行するために使用されない。すなわち、ブロードビーム及びナロービームを使用することにより別々に伝送されるダウンリンクデータにより占有される時間−周波数リソースはずらされる。
【０１０４】
２．ブロードビーム及びナロービームを使用することにより別々に伝送されるダウンリンクデータにより占有される時間−周波数リソースは、時分割多重化（ＴＤＭ）又は周波数分割多重化（ＦＤＭ）の方法でずらされ得る。
【０１０５】
３．ナロービームの間のダウンリンクデータ伝送は、空間分割多重化の方法で実行されるとともに、異なるナロービームが、同じ時間−周波数リソースを使用することによって、ナロービームによりサービスされるＵＥに対してデータ伝送を実行するために使用され得る。
【０１０６】
前述のメカニズムによれば、基地局により伝送されるブロードビームＢｅａｍ０がＵＥ０にデータを伝送するために使用され、同時に、基地局により伝送されるナロービームＢｅａｍ１がＵＥ１にデータを伝送するために使用され、基地局により伝送されるナロービームＢｅａｍ２がＵＥ２にデータを伝送するために使用され、そして、ブロードビーム及びナロービームを使用することにより別々に伝送されるダウンリンクデータにより占有される時間−周波数リソースがＦＤＭ方法でずらされる場合に、一方では、ブロードビームのみが、同じサブフレームにおいていくらかのリソースブロックＲＢ（Resource  Block）でＵＥ０にダウンリンクデータを伝送するために使用され、そしてナロービームのうちのいずれも、これらのＲＢでダウンリンクデータ伝送を実行するために使用されないかもしれず、他方では、ナロービームのみが、サブフレームにおいて前述のいくらかのＲＢと異なる他のいくらかのＲＢでダウンリンクデータ伝送を実行するために使用され、すなわち、ナロービームＢｅａｍ１及びナロービームＢｅａｍ２は、それぞれＵＥ１及びＵＥ２にデータを伝送し、そしてブロードビームＢｅａｍ０は、これらのＲＢでダウンリンクデータ伝送を実行するために使用されない、ということが仮定される。
【０１０７】
ブロードビームを使用することにより伝送されるダウンリンクデータにより占有されるＲＢは、ブロードビームを使用することにより送信されたＣＲＳを測定することによってＵＥ０によりフィードバックされたチャネル状態報告に従って判定され得る、ということに注意する必要がある。同様に、ナロービームＢｅａｍ１を使用することにより伝送されるダウンリンクデータにより占有されるＲＢは、ナロービームＢｅａｍ１を使用することにより送信された第１のＣＳＩ−ＲＳを測定することによってＵＥ１によりフィードバックされたチャネル状態報告に従って判定され得るとともに、ナロービームＢｅａｍ２を使用することにより伝送されるダウンリンクデータにより占有されるＲＢは、ナロービームＢｅａｍ２を使用することにより送信された第２のＣＳＩ−ＲＳを測定することによってＵＥ２によりフィードバックされたチャネル状態報告に従って判定され得る。
【０１０８】
実施例３において、ブロードビーム及びナロービームによって伝送されるダウンリンクデータは、中央集権化されたベースバンドシステムにより一様に変調されて伝送され得る。さらに、ブロードビーム及びナロービームを使用することにより別々に伝送されるダウンリンクデータにより占有される時間−周波数リソースをずらす方法は、動的に調整され得る。具体的には、ブロードビーム及びナロービームを使用することにより別々に伝送されるダウンリンクデータにより占有される時間−周波数リソースをＴＤＭ方法でずらすか、又はＦＤＭ方法でずらすかにかかわらず、ブロードビーム及びナロービームを使用することにより別々に伝送されるダウンリンクデータにより占有されるＲＢは、動的に調整され得る。
【０１０９】
「実施例４」
実施例４は、主として、複数のナロービームが同じＵＥにデータを伝送するために使用される場合のために、どのようにＵＥにデータを伝送するために使用される複数のナロービームが伝送を協同して実行することを可能にするかに関する実施方法を提案し、それにより、これらのナロービームの間の相互干渉を削減する。
【０１１０】
具体的には、ＵＥにデータを伝送するために使用されるナロービームは、同じＲＢでＵＥに同じダウンリンクデータを送信するために使用され得る。
【０１１１】
その代わりに、ＵＥに対するダウンリンクチャネルの品質が最も良いアンテナを使用することにより伝送されるナロービームが、同様に、ＵＥにデータを伝送するために使用される全てのナロービームの中から、そしてＵＥにより受信されたＣＳＩ−ＲＳを測定することによってＵＥにより獲得されたチャネル状態報告に従って、ＵＥに対するダウンリンクデータ伝送を実行するために使用されるように選択され得る。ＵＥにデータを伝送するために使用されるナロービームにおいて選択されなかった別のナロービームは、ダウンリンクデータを送信するために使用されるＲＢであらゆるダウンリンクデータ伝送を実行するために、もはや使用されないかもしれない。
【０１１２】
本発明のこの実施例において提供された解決法の前述の４つの実際の具体的な実施方法によれば、本発明のこの実施例において提供された解決法を使用することにより、基地局の現存するアンテナ上で調整が実行されないという前提で、セクタは、ナロービーム及びブロードビームを使用することにより共同でカバーされることが実施されることができ、したがって、セクタ間のカバレージ関係は影響を受けないとともに、さらに追加の標準化処理もＵＥの更新も必要とされない、という前提の下で、システム容量が改善され得る、ということが学習されることができる。
【０１１３】
本発明の実施例において提供された通信方法の発明概念と同じ発明概念に基づいて、本発明の実施例は、通信装置を更に提供する。通信装置は、ブロードビーム及び少なくとも２つのナロービームを伝送し得る。具体的には、装置の概略の構造図が図６において示されるとともに、装置は、主として、少なくとも２つのナロービームが少なくとも２つの端末にデータを伝送するために使用されることを判定するように構成されるナロービーム判定モジュール６１と、ナロービーム判定モジュール６１により判定されたナロービームを使用することによって、同じ時間−周波数リソースで少なくとも２つの端末にデータを伝送するように構成されるデータ伝送モジュール６２とを含む。
【０１１４】
ブロードビームは当該通信装置のセクタをカバーし、ナロービームのカバレージエリアはブロードビームのカバレージエリアに完全に含まれるとともに、ブロードビーム及びナロービームは同じＰＣＩを有する。
【０１１５】
任意に、ブロードビームが端末にサービスするために使用されることを実施するために、当該通信装置は、ブロードビームが少なくとも２つの端末と異なる１つ又は複数の他の端末にデータを伝送するために使用されることを判定するように構成されるブロードビーム判定モジュールを更に含むことができ、データ伝送モジュール６２は、ブロードビームを使用することによって、１つ又は複数の他の端末にデータを伝送するように更に構成される。
【０１１６】
任意に、データ伝送モジュール６２は、判定されたナロービームを使用することによって、第１の時間−周波数リソースで少なくとも２つの端末にデータを伝送するように具体的に構成され得る。
【０１１７】
任意に、データ伝送モジュール６２は、ブロードビームを使用することによって、第１の時間−周波数リソースと異なる第２の時間−周波数リソースで１つ又は複数の他の端末にデータを伝送するように具体的に構成され得る。
【０１１８】
１つ又は複数の他の端末のうちの各端末にデータを伝送するために使用される判定されたブロードビームを使用することにより伝送が行われるチャネルのチャネル品質を保証するために、任意に、ブロードビーム判定モジュールは、下記のサブモジュール、すなわち、ブロードビームを伝送するために使用されるアンテナ及びナロービームを伝送するために使用されるアンテナを使用することによって、１つ又は複数の他の端末のうちの各端末により送信された第１のサウンディング参照信号ＳＲＳを別々に受信するように構成される信号受信サブモジュールと、１つ又は複数の他の端末のうちの各端末により送信されるとともに、ブロードビームを伝送するために使用されるアンテナ及びナロービームを伝送するために使用されるアンテナを使用することによって別々に受信された第１のＳＲＳの信号強度値に従って、ブロードビームを伝送するために使用されるアンテナから来て１つ又は複数の他の端末のうちの各端末に向かうチャネルのチャネル品質、及びナロービームを伝送するために使用されるアンテナから来て１つ又は複数の他の端末のうちの各端末に向かうチャネルのチャネル品質を判定するように構成されるチャネル品質判定サブモジュールと、比較によって、ブロードビームを伝送するために使用されるアンテナから来て１つ又は複数の他の端末のうちの各端末に向かうチャネルのチャネル品質が、ナロービームを伝送するために使用されるアンテナから来て１つ又は複数の他の端末のうちの各端末に向かうチャネルのチャネル品質より良いことが得られる場合に、ブロードビームが１つ又は複数の他の端末のうちの各端末にデータを伝送するために使用されることを判定するように構成されるブロードビーム判定サブモジュールとに具体的に分割され得る。
【０１１９】
ブロードビームを伝送するために使用されるアンテナから来て１つ又は複数の他の端末のうちの各端末に向かうチャネルのチャネル品質、及びナロービームを伝送するために使用されるアンテナから来て１つ又は複数の他の端末のうちの各端末に向かうチャネルのチャネル品質を正確に判定するために、任意に、チャネル品質判定サブモジュールは、信号強度値のためのものであるとともに、ブロードビームを伝送するために使用されるアンテナ及びナロービームを伝送するために使用されるアンテナに対して別々に事前設定された補正値に従って、１つ又は複数の他の端末のうちの各端末により送信されるとともに、ブロードビームを伝送するために使用されるアンテナ及びナロービームを伝送するために使用されるアンテナを使用することによって別々に受信された第１のＳＲＳの信号強度値を、第１のＳＲＳの各補正された信号強度値を獲得するように補正し、第１のＳＲＳの各補正された信号強度値に従って、ブロードビームを伝送するために使用されるアンテナから来て１つ又は複数の他の端末のうちの各端末に向かうチャネルのチャネル品質、及びナロービームを伝送するために使用されるアンテナから来て１つ又は複数の他の端末のうちの各端末に向かうチャネルのチャネル品質を判定するように具体的に構成され得る。
【０１２０】
任意に、少なくとも２つの端末のうちの各端末にデータを伝送するために使用される判定されたナロービームを使用することにより伝送が行われるチャネルのチャネル品質を保証するために、ナロービーム判定モジュール６１は、ブロードビームを伝送するために使用されるアンテナ及びナロービームを伝送するために使用されるアンテナを使用することによって、少なくとも２つの端末のうちの各端末により送信された第２のＳＲＳを別々に受信するように構成される信号受信サブモジュールと、少なくとも２つの端末のうちの各端末により送信されるとともに、ブロードビームを伝送するために使用されるアンテナ及びナロービームを伝送するために使用されるアンテナを使用することによって別々に受信された第２のＳＲＳの信号強度値に従って、ブロードビームを伝送するために使用されるアンテナから来て少なくとも２つの端末のうちの各端末に向かうチャネルのチャネル品質、及びナロービームを伝送するために使用されるアンテナから来て少なくとも２つの端末のうちの各端末に向かうチャネルのチャネル品質を判定するように構成されるチャネル品質判定サブモジュールと、比較によって、ナロービームを伝送するために使用されるアンテナから来て少なくとも２つの端末のうちの各端末に向かうチャネルのチャネル品質が、ブロードビームを伝送するために使用されるアンテナから来て少なくとも２つの端末のうちの各端末に向かうチャネルのチャネル品質より良いことが得られる場合に、ナロービームが少なくとも２つの端末のうちの各端末にデータを伝送するために使用されることを判定するように構成されるナロービーム判定サブモジュールとを具体的に含み得る。
【０１２１】
ブロードビームを伝送するために使用されるアンテナから来て少なくとも２つの端末のうちの各端末に向かうチャネルのチャネル品質、及びナロービームを伝送するために使用されるアンテナから来て少なくとも２つの端末のうちの各端末に向かうチャネルのチャネル品質を正確に判定するために、任意に、チャネル品質判定サブモジュールは、信号強度値のためのものであるとともに、ブロードビームを伝送するために使用されるアンテナ及びナロービームを伝送するために使用されるアンテナに対して別々に事前設定された補正値に従って、少なくとも２つの端末のうちの各端末により送信されるとともに、ブロードビームを伝送するために使用されるアンテナ及びナロービームを伝送するために使用されるアンテナを使用することによって別々に受信された第２のＳＲＳの信号強度値を、第２のＳＲＳの各補正された信号強度値を獲得するように補正し、第２のＳＲＳの各補正された信号強度値に従って、ブロードビームを伝送するために使用されるアンテナから来て少なくとも２つの端末のうちの各端末に向かうチャネルのチャネル品質、及びナロービームを伝送するために使用されるアンテナから来て少なくとも２つの端末のうちの各端末に向かうチャネルのチャネル品質を判定するように具体的に構成され得る。
【０１２２】
任意に、ナロービーム判定サブモジュールは、比較によって、ナロービームを伝送するために使用されるアンテナから来て少なくとも２つの端末のうちの各端末に向かうチャネルのチャネル品質が、ブロードビームを伝送するために使用されるアンテナから来て少なくとも２つの端末のうちの各端末に向かうチャネルのチャネル品質より良いことが得られる場合に、ナロービームを伝送するために使用されるアンテナから来て少なくとも２つの端末のうちの各端末に向かうチャネルの中から最も良いチャネル品質を有するチャネルを選択し、選択されたチャネルの伝送のためのナロービームが少なくとも２つの端末のうちの各端末にデータを伝送するために使用されることを判定するように具体的に構成され得る。
【０１２３】
チャネル状態をテストし、チャネル状態報告をフィードバックするように端末をトリガするために、任意に、当該通信装置は、ブロードビームを使用することによってセル固有参照信号ＣＲＳを送信するとともに、チャネル状態情報参照信号ＣＳＩ−ＲＳを、当該通信装置により伝送される各ナロービームを使用することによって、当該通信装置により伝送される各ナロービームに別々に事前設定されたチャネル状態情報参照信号ＣＳＩ−ＲＳに従って別々に送信し、異なるナロービームに設定されるＣＳＩ−ＲＳが相互に異なる、ように構成される参照信号送信モジュールを更に含む。
【０１２４】
任意に、データ伝送モジュール６２は、少なくとも２つの端末のうちの各端末に対して、下記の、端末にデータを伝送するために使用されるナロービームに設定されたＣＳＩ−ＲＳのリソース構成インデックスを端末に通知する動作と、ＣＳＩ−ＲＳを測定することによって端末によりフィードバックされた対応するチャネル状態報告を獲得する動作とを別々に実行し、少なくとも２つの端末により当該通信装置に別々にフィードバックされたチャネル状態報告に従って第１の時間−周波数リソースを判定し、判定されたナロービームを使用することによって、第１の時間−周波数リソースで少なくとも２つの端末にデータを伝送するように具体的に構成され得る。
【０１２５】
任意に、データ伝送モジュール６２は、１つ又は複数の他の端末により受信されたＣＲＳを測定することによって１つ又は複数の他の端末により当該通信装置にフィードバックされたチャネル状態報告を獲得し、チャネル状態報告に従って第２の時間−周波数リソースを判定し、判定されたブロードビームを使用することによって、第２の時間−周波数リソースで１つ又は複数の他の端末にデータを伝送するように具体的に構成され得る。
【０１２６】
本発明のこの実施例におけるモジュールの実施方法及び対話方法については、方法の実施例における関連の説明に対して参照が更に行われ得る、ということが理解されることができる。
【０１２７】
本発明のこの実施例において提供された前述の通信装置は、同時に、通信装置のセクタをカバーするブロードビームと、カバレージエリアがブロードビームのカバレージエリアに完全に含まれるナロービームとを伝送することができ、それは、通信装置のセクタのカバレージエリアがブロードビームを使用することによって変わらない状態を維持するという前提の下で、セクタの拡張されたカバレージがナロービームを使用することによって更に達成され、それによりスペクトルの効率を改善することを実施する。解決法では、通信装置により伝送されるブロードビームのセクタカバレージエリアは、それでもやはり、変わらない状態を維持し、したがって、セクタ間のカバレージ関係は、影響を受けない。さらに、解決法では、追加のサイトのバックホールリソースも追加の標準化サポートも必要とされない。
【０１２８】
本発明の実施例において提供された通信方法の発明概念と同じ発明概念に基づいて、本発明の実施例は、別の通信装置を更に提供する。通信装置は、ブロードビーム及び少なくとも２つのナロービームを伝送し得る。具体的には、装置の概略の構造図が図７において示されるとともに、装置は、主として、少なくとも２つのナロービームが少なくとも２つの端末にデータを伝送するために使用されることを判定するように構成されるプロセッサ７１と、プロセッサ７１により判定されたナロービームを使用することによって、同じ時間−周波数リソースで少なくとも２つの端末にデータを伝送するように構成されるトランシーバ７２とを含む。
【０１２９】
ブロードビームは当該通信装置のセクタをカバーし、ナロービームのカバレージエリアはブロードビームのカバレージエリアに完全に含まれるとともに、ブロードビーム及びナロービームは同じＰＣＩを有する。
【０１３０】
任意に、プロセッサ７１は、ブロードビームが少なくとも２つの端末と異なる１つ又は複数の他の端末にデータを伝送するために使用されることを判定するように更に構成され得る。トランシーバ７２は、ブロードビームを使用することによって、１つ又は複数の他の端末にデータを伝送するように更に構成され得る。
【０１３１】
任意に、トランシーバ７２は、判定されたナロービームを使用することによって、第１の時間−周波数リソースで少なくとも２つの端末にデータを伝送するように具体的に構成され得る。
【０１３２】
任意に、トランシーバ７２は、ブロードビームを使用することによって、第１の時間−周波数リソースと異なる第２の時間−周波数リソースで１つ又は複数の他の端末にデータを伝送するように具体的に構成され得る。
【０１３３】
任意に、プロセッサ７１は、１つ又は複数の他の端末のうちの各端末により送信されるとともに、トランシーバ７２により、ブロードビームを伝送するために使用されるアンテナ及びナロービームを伝送するために使用されるアンテナを使用することによって別々に受信された第１のサウンディング参照信号ＳＲＳの信号強度値に従って、ブロードビームを伝送するために使用されるアンテナから来て１つ又は複数の他の端末のうちの各端末に向かうチャネルのチャネル品質、及びナロービームを伝送するために使用されるアンテナから来て１つ又は複数の他の端末のうちの各端末に向かうチャネルのチャネル品質を判定するとともに、比較によって、ブロードビームを伝送するために使用されるアンテナから来て１つ又は複数の他の端末のうちの各端末に向かうチャネルのチャネル品質が、ナロービームを伝送するために使用されるアンテナから来て１つ又は複数の他の端末のうちの各端末に向かうチャネルのチャネル品質より良いことが得られる場合に、ブロードビームが１つ又は複数の他の端末のうちの各端末にデータを伝送するために使用されることを判定するように具体的に構成され得る。
【０１３４】
任意に、プロセッサ７１は、信号強度値のためのものであるとともに、ブロードビームを伝送するために使用されるアンテナ及びナロービームを伝送するために使用されるアンテナに対して別々に事前設定された補正値に従って、１つ又は複数の他の端末のうちの各端末により送信されるとともに、ブロードビームを伝送するために使用されるアンテナ及びナロービームを伝送するために使用されるアンテナを使用することによって別々に受信された第１のＳＲＳの信号強度値を、第１のＳＲＳの各補正された信号強度値を獲得するように補正し、第１のＳＲＳの各補正された信号強度値に従って、ブロードビームを伝送するために使用されるアンテナから来て１つ又は複数の他の端末のうちの各端末に向かうチャネルのチャネル品質、及びナロービームを伝送するために使用されるアンテナから来て１つ又は複数の他の端末のうちの各端末に向かうチャネルのチャネル品質を判定するように具体的に構成され得る。
【０１３５】
任意に、プロセッサ７１は、少なくとも２つの端末のうちの各端末により送信されるとともに、トランシーバ７２により、ブロードビームを伝送するために使用されるアンテナ及びナロービームを伝送するために使用されるアンテナを使用することによって別々に受信された第２のＳＲＳの信号強度値に従って、ブロードビームを伝送するために使用されるアンテナから来て少なくとも２つの端末のうちの各端末に向かうチャネルのチャネル品質、及びナロービームを伝送するために使用されるアンテナから来て少なくとも２つの端末のうちの各端末に向かうチャネルのチャネル品質を判定し、比較によって、ナロービームを伝送するために使用されるアンテナから来て少なくとも２つの端末のうちの各端末に向かうチャネルのチャネル品質が、ブロードビームを伝送するために使用されるアンテナから来て少なくとも２つの端末のうちの各端末に向かうチャネルのチャネル品質より良いことが得られる場合に、ナロービームが少なくとも２つの端末のうちの各端末にデータを伝送するために使用されることを判定するように具体的に構成され得る。
【０１３６】
任意に、プロセッサ７１は、信号強度値のためのものであるとともに、ブロードビームを伝送するために使用されるアンテナ及びナロービームを伝送するために使用されるアンテナに対して別々に事前設定された補正値に従って、少なくとも２つの端末のうちの各端末により送信されるとともに、ブロードビームを伝送するために使用されるアンテナ及びナロービームを伝送するために使用されるアンテナを使用することによって別々に受信された第２のＳＲＳの信号強度値を、第２のＳＲＳの各補正された信号強度値を獲得するように補正し、第２のＳＲＳの各補正された信号強度値に従って、ブロードビームを伝送するために使用されるアンテナから来て少なくとも２つの端末のうちの各端末に向かうチャネルのチャネル品質、及びナロービームを伝送するために使用されるアンテナから来て少なくとも２つの端末のうちの各端末に向かうチャネルのチャネル品質を判定するように具体的に構成され得る。
【０１３７】
任意に、プロセッサ７１は、ナロービームを伝送するために使用されるアンテナから来て少なくとも２つの端末のうちの各端末に向かうチャネルの中から最も良いチャネル品質を有するチャネルを選択し、選択されたチャネルの伝送のためのナロービームが少なくとも２つの端末のうちの各端末にデータを伝送するために使用されることを判定するように具体的に構成され得る。
【０１３８】
任意に、トランシーバ７２は、ブロードビームを使用することによってセル固有参照信号ＣＲＳを送信するとともに、チャネル状態情報参照信号ＣＳＩ−ＲＳを、当該通信装置により伝送される各ナロービームを使用することによって、当該通信装置により伝送される各ナロービームに別々に事前設定されたチャネル状態情報参照信号ＣＳＩ−ＲＳに従って別々に送信し、異なるナロービームに設定されるＣＳＩ−ＲＳが相互に異なる、ように更に構成され得る。
【０１３９】
任意に、トランシーバ７２は、少なくとも２つの端末のうちの各端末に対して、下記の、端末にデータを伝送するために使用されるナロービームに設定されたＣＳＩ−ＲＳのリソース構成インデックスを端末に通知する動作と、ＣＳＩ−ＲＳを測定することによって端末によりフィードバックされた対応するチャネル状態報告を獲得する動作とを別々に実行し、少なくとも２つの端末がチャネル状態報告を当該通信装置に別々にフィードバックしたあとで、判定されたナロービームを使用することによって、第１の時間−周波数リソースで少なくとも２つの端末にデータを伝送するように具体的に構成され得る。第１の時間−周波数リソースは、前述のチャネル状態報告に従って、プロセッサ７１により判定され得る。
【０１４０】
任意に、トランシーバ７２は、１つ又は複数の他の端末により受信されたＣＲＳを測定することによって１つ又は複数の他の端末により当該通信装置にフィードバックされたチャネル状態報告を獲得し、１つ又は複数の他の端末がチャネル状態報告を当該通信装置に別々にフィードバックしたあとで、判定されたブロードビームを使用することによって、第２の時間−周波数リソースで１つ又は複数の他の端末にデータを伝送するように具体的に構成され得る。第２の時間−周波数リソースは、１つ又は複数の他の端末により受信されたＣＲＳを測定することによって１つ又は複数の他の端末により当該通信装置にフィードバックされたチャネル状態報告に従って、プロセッサ７１により判定され得る。
【０１４１】
当業者は、本願の実施例が、方法、システム、又はコンピュータプログラム製品として提供され得ることを理解するべきである。したがって、本願は、ハードウェアのみの実施例、ソフトウェアのみの実施例、又は、ソフトウェアとハードウェアの組み合わせによる実施例の形式を使用し得る。さらに、本願は、コンピュータが使用可能なプログラムコードを含む（ディスクメモリ、ＣＤ−ＲＯＭ、光メモリなどを含むが、それに限定されない）１つ又は複数のコンピュータが使用可能な記憶媒体によって実施されるコンピュータプログラム製品の形式を使用し得る。
【０１４２】
本願は、本願の実施例による方法、装置（システム）、並びにコンピュータプログラム製品のフローチャート及び／又は構成図を参照して説明される。コンピュータプログラム命令が、フローチャート及び／又は構成図における各処理及び／又は各ブロック、並びにフローチャート及び／又は構成図における処理及び／又はブロックの組み合わせを実施するために使用され得る、ということが理解されるべきである。これらのコンピュータプログラム命令は、機械を生成するために、汎用コンピュータ、専用コンピュータ、埋込み型プロセッサ、又はあらゆる他のプログラム可能データ処理装置のプロセッサに提供されることができ、それにより、コンピュータ、又はあらゆる他のプログラム可能データ処理装置のプロセッサにより実行された命令は、フローチャートにおける１つ若しくは複数の処理の具体的な機能、及び／又は構成図における１つ若しくは複数のブロックの具体的な機能を実施するための装置を生成する。
【０１４３】
これらのコンピュータプログラム命令は、同様に、コンピュータ又はあらゆる他のプログラム可能データ処理装置に具体的な方法において機能するように指示することができるコンピュータ読み取り可能メモリに記憶されることができ、それにより、コンピュータ読み取り可能メモリに記憶される命令は、命令装置を含む人工物を生成する。命令装置は、フローチャートにおける１つ若しくは複数の処理の具体的な機能、及び／又は構成図における１つ若しくは複数のブロックの具体的な機能を実施する。
【０１４４】
これらのコンピュータプログラム命令は、同様に、コンピュータ又は別のプログラム可能データ処理装置にロードされることができ、その結果、一連の動作及びステップがコンピュータ又は別のプログラム可能データ処理装置上で実行され、それにより、コンピュータ実施処理を生成する。したがって、コンピュータ又は別のプログラム可能データ処理装置上で実行された命令は、フローチャートにおける１つ若しくは複数の処理の具体的な機能、及び／又は構成図における１つ若しくは複数のブロックの具体的な機能を実施するためのステップを提供する。
【０１４５】
本願のいくつかの代表的な実施例が説明されたが、当業者は、一度当業者が基礎的な発明概念を学習すれば、これらの実施例に変更及び修正を行うことができる。したがって、添付の請求項は、代表的な実施例並びに本願の範囲内に含まれる全ての変更及び修正をカバーすると解釈されることを意図している。
【０１４６】
明らかに、当業者は、本発明の実施例の精神及び範囲からはずれずに、本願の実施例に様々な修正及び変更を行うことができる。本願は、これらの修正及び変更が添付の請求項及びそれらの同等の技術により定義された保護の範囲内に含まれる限り、これらの修正及び変更をカバーすることを意図している。
【図１】
0006257769.tif 000002
【図２】
0006257769.tif 000003
【図３】
0006257769.tif 000004
【図４ａ】
0006257769.tif 000005
【図４ｂ】
0006257769.tif 000006
【図５ａ】
0006257769.tif 000007
【図５ｂ】
0006257769.tif 000008
【図５ｃ】
0006257769.tif 000009
【図５ｄ】
0006257769.tif 000010
【図６】
0006257769.tif 000011
【図７】
0006257769.tif 000012